(57)【要約】【課題】  玉払出装置の駆動源に静電気ノイズが流入することを防止することのできる遊技機を提供することである。【解決手段】  玉払出装置の供給通路にカーボンを含有した樹脂から形成された仕切板７２を設ける。そして、玉払出装置を玉払出装置取付部に取り付けたときに、仕切板７２が接地されている玉ストッパー部材１５９のストッパー部材１５９ｂと接触するように構成した。【選択図】        図９
2006042886.tif 000002
【特許請求の範囲】
【請求項１】
遊技者が遊技を行ない所定の払出条件の成立により玉を払出す玉払出装置を備えた遊技機であって、
電気的に接地可能となる接地用導電性部材と、
前記玉払出装置が取り付けられる取付基体と、を備え、
前記玉払出装置は、
前記払出条件の成立により駆動される電気的駆動源と、
該電気的駆動源により駆動され玉を払出す作動部材と、
該作動部材に玉を供給する供給通路と、
前記作動部材が作動することにより払出される玉を誘導する払出通路と、
前記供給通路に設けられ、導電性部材からなり玉と接触することにより当該玉を誘導する導電性誘導壁部材と、を含み、
前記導電性誘導壁部材は、前記玉払出装置を前記取付基体に取り付けることにより、前記接地用導電性部材と電気的に接続されることを特徴とする、遊技機。
【請求項２】
前記供給通路は、複数条の通路を形成するために仕切る仕切部材を含み、
前記導電性誘導壁部材は、前記仕切部材であることを特徴とする、請求項１に記載の遊技機。
【請求項３】
前記玉払出装置は、前記供給通路と前記電気的駆動源との間に、絶縁性の絶縁仕切部材を設けることを特徴とする、請求項１または請求項２に記載の遊技機。
【請求項４】
前記接地用導電性部材は、導電性樹脂からなる導電性樹脂部材を介して、電気的に接地可能となることを特徴とする、請求項１〜請求項３のいずれかに記載の遊技機。
【請求項５】
玉が流下可能な遊技領域が形成される遊技盤を固定する遊技盤固定部が設けられた前面枠と、
該前面枠の後面側に設けられるとともに少なくとも前記玉払出装置を取付可能な取付基体を含む機構枠と、
導電性部材からなり前記機構枠を前記前面枠に対して開閉自在となるように取り付ける枢支部材と、
導電性部材からなり前記遊技盤の遊技領域において玉と接触可能な複数の玉接触部材と、をさらに備え、
前記枢支部材は、前記接地用導電性部材と電気的に接続され、
複数の前記玉接触部材は、前記枢支部材を介して、電気的に接地可能となることを特徴とする、請求項１〜請求項４のいずれかに記載の遊技機。
【請求項６】
玉が流下可能な遊技領域が形成される遊技盤を固定する遊技盤固定部が設けられた前面枠と、
該前面枠の前面側において開閉自在に設けられるとともに前記遊技領域の少なくとも一部を覆う透明板を備える前面扉枠と、
導電性部材からなり前記前面扉枠を前記前面枠に対して施錠可能な錠機構と、
導電性部材からなり前記遊技盤の遊技領域において玉と接触可能な複数の玉接触部材と、をさらに備え、
前記前面枠側の錠機構は、前記接地用導電性部材と電気的に接続され、
複数の前記玉接触部材は、前記前面枠側の錠機構を介して、電気的に接地可能となることを特徴とする、請求項１〜請求項４のいずれかに記載の遊技機。
【請求項７】
玉が流下可能な遊技領域が形成されかつ導電性を有する板状部材を含む複数の板状部材が積層された遊技盤を固定する遊技盤固定部が設けられた前面枠と、
該前面枠の後面側に設けられるとともに少なくとも前記玉払出装置を取付可能な取付基体を含む機構枠と、
導電性部材からなり前記機構枠を前記前面枠に対して開閉自在となるように取り付ける枢支部材と、
前記前面枠の前面側において開閉自在に設けられるとともに前記遊技領域の少なくとも一部を覆う透明板を備える前面扉枠と、
導電性部材からなり前記前面扉枠を前記前面枠に対して施錠可能な錠機構と、
前記遊技領域に玉を誘導する導電性部材からなり、前記導電性板と電気的に接続可能に取り付けられる誘導レールと、
前記導電性板と接するように前記遊技盤に植設された障害釘と、
導電性部材からなり前記枢支部材と接する開閉用導電性部材と、
導電性部材からなり前記前面枠側の錠機構と接する錠機構用導電性部材と、をさらに備え、
前記枢支部材は、前記接地用導電性部材と電気的に接続され、
前記枢支部材と前記前面枠側の錠機構とは、前記遊技盤を前記前面枠に固定することにより、前記開閉用導電性部材、前記錠機構用導電性部材、前記誘導レール、および、前記導電性板を介して、電気的に接続され、
前記誘導レールと前記障害釘とは、前記枢支部材を介して、電気的に接地可能となることを特徴とする、請求項１〜請求項４のいずれかに記載の遊技機。
【発明の詳細な説明】
【技術分野】
【０００１】
本発明は、遊技者が遊技を行ない所定の払出条件の成立により玉を払出す玉払出装置を備えた遊技機に関するものである。
【背景技術】
【０００２】
従来から一般的に知られている遊技機に、たとえば、遊技者が遊技を行ない所定の払出条件の成立により玉（遊技球）を払出す玉払出装置を備えたものがあった。また、従来の遊技機として、玉払出装置を、カーボンを含有した導電性合成樹脂部材から形成された賞球ケースの内部に収容したものものがあった。
【特許文献１】特開２００２−１３６７５３号公報
【発明の開示】
【発明が解決しようとする課題】
【０００３】
しかしながら、帯電した玉が導電性合成樹脂部材と接触する際に放電して、玉払出装置の駆動源となる払出モータに対して静電気ノイズが流入することにより、誤動作が生じ遊技者に払い出されるべき玉数が払出されないときや、遊技者に払い出されるべきでない玉が払い出されるといった不都合が発生する原因となっていた。
【０００４】
この発明はかかる実情に鑑み考え出されたものであり、その目的は、玉払出装置の駆動源に静電気ノイズが流入することを防止することのできる遊技機を提供することである。
【課題を解決するための手段の具体例およびその効果】
【０００５】
（１）  遊技者が遊技を行ない所定の払出条件の成立（各スイッチ５１，５２，５５ａ，５５ｂ，５６ａ，５６ｂ，６０により玉が通過したことが検出されること、賞球個数信号受信等）により玉（賞球）を払出す玉払出装置（玉払出装置１５４）を備えた遊技機（弾球遊技機１）であって、
電気的に接地（アース接続等）可能となる接地用導電性部材（玉ストッパー部材１５９、ストッパー部材１５９ｂ）と、
前記玉払出装置が取り付けられる取付基体（機構板１４０の上部および右側部を構成し、玉払出装置取付部１５４ａが設けられている上部板１４２）と、を備え、
前記玉払出装置は、
前記払出条件の成立により駆動される電気的駆動源（払出モータ１１５）と、
該電気的駆動源により駆動（回転、可動）され玉を払出す作動部材（玉払出部材７４、スクリュー、スプロケット等）と、
該作動部材に玉を供給する供給通路（玉供給通路部材７７ａ，７７ｂおよびケース１５５ａ，１５５ｂの内壁）と、
前記作動部材が作動することにより払出される玉を誘導する払出通路（玉誘導通路部材８４ａ，８４ｂおよびケース１５５ａ，１５５ｂの内壁）と、
前記供給通路に設けられ、導電性部材（カーボンを含有した樹脂、ステンレス繊維を含有した樹脂、ステンレス鋼、金属等、導電性を有する部材）からなり玉と接触することにより当該玉を誘導する導電性誘導壁部材（仕切板７２）と、を含み、
前記導電性誘導壁部材は、前記玉払出装置を前記取付基体に取り付けることにより、前記接地用導電性部材と電気的に接続される（図８参照）。
【０００６】
このような構成によれば、帯電した玉が玉払出装置に流入したときであっても、接地用導電性部材と電気的に接続された導電性誘導壁部材に接することにより、玉の電位が接地レベルとなるので、電気的駆動源に静電気ノイズが流入することを防止でき、電気的駆動源が誤動作することや壊れてしまうことを未然に防止することができる。
【０００７】
（２）  前記供給通路は、複数条（たとえば、２条、３条等）の通路を形成するために仕切る仕切部材（仕切板７２）を含み、
前記導電性誘導壁部材は、前記仕切部材である（図７参照）。
【０００８】
このような構成によれば、導電性誘導壁部材を仕切部材として兼用することができるため、複数条の通路が形成される玉払出装置であっても、部品個数を変化させること無く、構造を簡略化でき、また省スペース化を図ることができる。
【０００９】
（３）  前記玉払出装置は、前記供給通路と前記電気的駆動源との間に、絶縁性の絶縁仕切部材（絶縁カバー８３）を設ける（図７、図８参照）。
【００１０】
このような構成によれば、玉払出装置に流入したすべての玉の電位を接地レベルとすることができず、静電気ノイズが発生したときであっても、絶縁仕切部材により当該静電気ノイズから電気的駆動源が遮られているため、電気的駆動源に静電気ノイズが流入することがなく、安全性をより高めることができる。
【００１１】
（４）  前記接地用導電性部材は、導電性樹脂からなる導電性樹脂部材（カーボンを含有した樹脂、ステンレス繊維を含有した樹脂等、導電性を有する樹脂部材、賞球タンク１４７、玉整列レール部材１４８、玉通路カバー部材１５６）を介して、電気的に接地可能となる（図９参照）。
【００１２】
このような構成によれば、接地用導電性部材がたとえば金属部材を介して接地可能となっている場合と比較して、比抵抗値が大きくなる。このため、導電性誘導壁部材に接近しただけで急激に放電することを防止することができ、安全性をより高めることができる。
【００１３】
（５）  玉が流下可能な遊技領域（遊技領域４１）が形成される遊技盤（遊技盤４０）を固定する遊技盤固定部（遊技盤係止レバー３６６）が設けられた前面枠（前面枠３）と、
該前面枠の後面側に設けられるとともに少なくとも前記玉払出装置を取付可能な取付基体を含む機構枠（機構板１４０）と、
導電性部材からなり前記機構枠を前記前面枠に対して開閉自在となるように取り付ける枢支部材（補強ヒンジ部材１７６）と、
導電性部材からなり前記遊技盤の遊技領域において玉と接触可能な複数の玉接触部材（誘導レール４２ａ、４２ｂ、障害釘３７、装飾部材６６等）と、をさらに備え、
前記枢支部材は、前記接地用導電性部材と電気的に接続され、
複数の前記玉接触部材は、前記枢支部材を介して、電気的に接地可能となる（図１４参照）。
【００１４】
このような構成によれば、枢支部材を、機構枠を前面枠に対して開閉自在となるように取り付ける部材と、複数の玉接触部材を接地可能となるように接続する部材とに兼用することができるため、部品個数を極力削減することができる。
【００１５】
（６）  玉が流下可能な遊技領域（遊技領域４１）が形成される遊技盤（遊技盤４０）を固定する遊技盤固定部（遊技盤係止レバー３６６）が設けられた前面枠（前面枠３）と、
該前面枠の前面側において開閉自在に設けられるとともに前記遊技領域の少なくとも一部を覆う透明板（複層ガラス板）を備える前面扉枠（前面扉枠４）と、
導電性部材からなり前記前面扉枠を前記前面枠に対して施錠可能な錠機構（施錠装置１２８）と、
導電性部材からなり前記遊技盤の遊技領域において玉と接触可能な複数の玉接触部材（誘導レール４２ａ、４２ｂ、障害釘３７、装飾部材６６等）と、をさらに備え、
前記前面枠側の錠機構は、前記接地用導電性部材と電気的に接続され、
複数の前記玉接触部材は、前記前面枠側の錠機構を介して、電気的に接地可能となる（図１４参照）。
【００１６】
このような構成によれば、錠機構を、前面扉枠を前面枠に対して施錠する部材と、複数の玉接触部材を接地可能となるように接続する部材とに兼用することができるため、部品個数を極力削減することができる。
【００１７】
（７）  玉が流下可能な遊技領域（遊技領域４１）が形成されかつ導電性を有する板状部材（導電性板４０ａ）を含む複数の板状部材が積層された遊技盤（遊技盤４０）を固定する遊技盤固定部（遊技盤係止レバー３６６）が設けられた前面枠（前面枠３）と、
該前面枠の後面側に設けられるとともに少なくとも前記玉払出装置を取付可能な取付基体を含む機構枠（機構板１４０）と、
導電性部材からなり前記機構枠を前記前面枠に対して開閉自在となるように取り付ける枢支部材（補強ヒンジ部材１７６）と、
前記前面枠の前面側において開閉自在に設けられるとともに前記遊技領域の少なくとも一部を覆う透明板（複層ガラス板）を備える前面扉枠（前面扉枠４）と、
導電性部材からなり前記前面扉枠を前記前面枠に対して施錠可能な錠機構（施錠装置１２８）と、
前記遊技領域に玉を誘導する導電性部材からなり、前記導電性板と電気的に接続可能に取り付けられる誘導レール（誘導レール４２ａ、４２ｂ）と、
前記導電性板と接するように前記遊技盤に植設された障害釘（障害釘３７）と、
導電性部材からなり前記枢支部材と接する開閉用導電性部材（レール接続部材３２７ａ、プラ枠補強金具３７１ａ、補強金具接続部材３１４ａ、プラ枠ヒンジ金具３１４）と、
導電性部材からなり前記前面枠側の錠機構と接する錠機構用導電性部材（レール接続部材３２７ｂ、発射装置接触部材３７３）と、をさらに備え、
前記枢支部材は、前記接地用導電性部材と電気的に接続され、
前記枢支部材と前記前面枠側の錠機構とは、前記遊技盤を前記前面枠に固定することにより、前記開閉用導電性部材、前記錠機構用導電性部材、前記誘導レール、および、前記導電性板を介して、電気的に接続され、
前記誘導レールと前記障害釘とは、前記枢支部材を介して、電気的に接地可能となる（図１４参照）。
【００１８】
このような構成によれば、帯電した玉を接地できる範囲を広げることができるため、静電気ノイズの影響を受けて、遊技機が誤動作または壊れる危険性を極力低減することができる。また、接地経路上に配置された部材自体を接地経路の一部として兼用することができるため、部品個数を極力削減することができる。
【発明を実施するための最良の形態】
【００１９】
以下に、本発明の実施の形態を図面に基づいて詳細に説明する。以下の実施の形態においては、遊技機の一例として弾球遊技機を示すが、本発明はこれに限らず、たとえば、画像式の遊技機、コイン遊技機、および、スロット機等であってもよく、遊技者が遊技を行ない所定の払出条件の成立により玉を払出す玉払出装置を備えた遊技機であれば、どのような遊技機であってもよい。なお、以下の説明においては、弾球遊技機１の遊技者側を表，表面，前面，前方で表わし、弾球遊技機１を挟んで遊技者と反対側を裏，裏面，後面，後方，奥，背面で示す。まず、図１および図２を参照して実施形態に係る弾球遊技機１の全体の構成について説明する。図１は、本実施形態に係る弾球遊技機１の正面図であり、図２は、弾球遊技機１の背面図である。
【００２０】
弾球遊技機１は、図１および図２に示すように、縦長な方形状に枠組み形成される外枠２と、該外枠２の一側に開閉自在に軸支され且つ弾球遊技機１の主要構成部のほぼすべてが集約して設けられる前面枠３と、該前面枠３の前面上部に開閉自在に設けられる前面扉枠（ガラス枠）４と、前面枠３の前面下部に開閉自在に設けられる上皿開閉枠１１と、から構成されている。また、前面枠３に設けられる主要構成部としては、上記した前面扉枠４、遊技盤４０、下皿２７、灰皿ユニット２９、操作ハンドル３０、機構板１４０、打球発射装置１３０がある。なお、図示はしていないが、弾球遊技機１の側方に遊技者に遊技球を貸し出す（球貸しする）ためのカードユニット装置が付設されるものであってもよい。
【００２１】
前面扉枠４には、後述する遊技盤４０の遊技領域４１をほぼ透視し得る遊技開口としての円形透視窓５が開設され、該円形透視窓５の裏面から複層ガラス板が装着されるようになっている。この円形透視窓５および複層ガラス板は、いずれも縦長な円形状に形成されるものである。前面扉枠４の周縁には、後方に向かって補強周枠リブ（図示しない）が立設され、さらに、補強周枠リブに沿って補強金具を取付ネジで取り付けることにより、前面扉枠４の強度の向上を図っている。また、前面扉枠４の前面側には、円形透視窓５の外周に沿って、上部に装飾部材としての上部装飾ユニット２２が、左側方に被覆部材としての左装飾ユニット２３が、右側方に被覆部材としての右装飾ユニット２４が、下部に前面構成部材としての下部装飾ユニット２５がそれぞれ設けられている。上部装飾ユニット２２の内部に、発光部材としての遊技効果ＬＥＤ１３，１４ａ，１４ｃおよび遊技効果ランプ１４ｂ，１４ｄが臨むように前面扉枠４の前面側に備えられ、左装飾ユニット２３および右装飾ユニット２４の内部に、それぞれ発光部材としての遊技効果ランプ１６ａ，１６ｂおよび遊技効果ランプ１７ａ，１７ｂが臨むように前面扉枠４の前面側に備えられている。この遊技効果ＬＥＤ１３，１４ａ，１４ｃ、遊技効果ランプ１４ｂ，１４ｄ，１６ａ，１６ｂ，１７ａ，１７ｂは、遊技状態に応じて点灯又は点滅されるものであり、特別の遊技状態の発生時や継続時を遊技者に報知すると共に遊技の雰囲気を盛り上げるものである。
【００２２】
また、上部装飾ユニット２２の左右に、遊技の進行に応じた効果音（音声なども含む）を発生するスピーカ１２ａ，１２ｂが前面扉枠４に設けられている。なお、スピーカ１２ａ，１２ｂは、玉の貸出異常が生じたとき、あるいは玉の貸出時（例えば、１００円相当の玉が払い出される毎）に、その旨を報知する報知音も発生するようにしてもよい。また、左装飾ユニット２３の上部右側方に、入賞球の発生に基づいて所定個数の賞球が払い出されたことを報知する遊技関連情報発光部材としての賞球ＬＥＤ１０（なお、賞球未払出分がある場合に報知するものでもよい。具体的には、賞球未払出があるときは点灯し、賞球未払出がないときは消灯するなど）が前面扉枠４の前面から視認可能に設けられ、右装飾ユニット２４の上部左側方に、払い出すべく賞球が不足したこと（後述する球切れスイッチ１５７により球切れを検出したとき）を報知する遊技関連情報発光部材としての球切れＬＥＤ９が前面扉枠４の前面から視認可能に設けられている。この賞球ＬＥＤ１０および球切れＬＥＤ９は、弾球遊技機１において行なわれる遊技演出とは別に遊技に関する情報に関連して発光する遊技関連情報発光部材であり、遊技効果ＬＥＤや遊技効果ランプとは別に設けられるものであり、前面枠３の前面側に設けられている。また、左装飾ユニット２３および右装飾ユニット２４のそれぞれ左側および右側には、装飾するための前面装飾部６が設けられている。更に、下部装飾ユニット２５の両側方には、遊技盤４０に貼付される証紙を視認するための透視窓１８が設けられている。
【００２３】
上記した遊技効果ＬＥＤ１３，１４ａ，１４ｃ、遊技効果ランプ１４ｂ，１４ｄ，１６ａ，１６ｂ，１７ａ，１７ｂは、それぞれプリント配線基板（図示しない）に実装されて前面枠３の前面側に取り付けられる。なお、遊技効果ＬＥＤ１３，１４ａ，１４ｃ、遊技効果ランプ１６ａ，１６ｂ，１７ａ，１７ｂは、各プリント基板にそれぞれ複数個ずつ実装され、遊技効果ランプ１４ｂ，１４ｄは、各プリント基板にそれぞれ１個ずつ実装されている。そして、各基板およびスピーカ１２ａ，１２ｂは、前板中継基板１００（図１５参照）に接続される。この前板中継基板１００は、遊技盤４０の裏面上部に取り付けられる中継基板取付ボックス３８３（図４参照）に止着される枠ランプ中継基板９９に接続された後、後述する音声枠ランプ基板９２（図１５参照）に接続されている。
【００２４】
球切れＬＥＤ９、賞球ＬＥＤ１０は、各プリント基板にそれぞれ複数個ずつ実装されている。そして、各基板は、プラ枠中継基板１０８（図１５参照）に接続される。このプラ枠中継基板１０８は、後述する払出制御基板９８（図１５参照）に接続されている。
【００２５】
次に、前面扉枠４の透視窓５の下方に位置する上皿開閉枠１１に形成された上皿１９の構成について説明すると、上皿１９は、複数の合成樹脂製部材を組み合わせた皿部材を固着することにより構成されている。上皿１９の開放側の上方には、玉抜き操作レバー２１が設けられている。この玉抜き操作レバー２１は、左右方向に移動可能に設けられ、スプリングの付勢力に抗して一方向に移動させることにより、上皿１９に貯留されていた球を裏面側に形成される玉抜き路（図示しない）および玉抜き穴（図示しない）を流下させて下皿２７に誘導するものである。
【００２６】
上記した上皿１９について、さらに詳細に説明すると、上皿１９は、その上流側に形成される賞球払出口２０から払い出された賞球を貯留し、且つ発射位置に球を供給するものである。また、上皿１９には、弾球遊技機１に隣接して設けられるカードユニット装置を介して玉を借り受ける際に操作する操作部（残高表示部）が設けられている。この操作部は、球貸スイッチと返却スイッチと各表示ＬＥＤ（いずれも図示しない）が実装される残高表示基板１０４（図１５参照）からなり、該残高表示基板１０４が上皿１９の上面に臨むように設けられている。なお、上皿１９に設けられて上記した球貸スイッチ、返却スイッチ、および表示ＬＥＤが実装される残高表示基板１０４から延びる上皿配線は、前面枠３の軸支側の下部に形成される配線通し開口３３２（図１０参照）から前面枠３の裏側に引き出され、機構板１４０の裏面下部に取り付けられる遊技球等貸出装置接続端子板１０３を経由して後述する払出制御基板９８に接続されている。また、上皿１９の右側方には、前面扉枠４を前面枠３に対して施錠し且つ前面枠３を外枠２に対して施錠する施錠装置１２８を操作するためのシリンダー錠２６が臨んでいる。
【００２７】
また、前面枠３の下部に取り付けられる下皿２７は、前記上皿１９から溢れた賞球であって機構板１４０の裏面下部に形成される余剰玉通路および接続樋等を介して排出される余剰球を貯留する余剰球貯留皿（余剰球受皿）であり、その下皿２７の下方には、玉抜き操作レバー２８がスライド可能に取り付けられるようになっている。この玉抜き操作レバー２８を操作することにより、下皿２７に貯留されていた玉（賞球）を下方に玉抜きして持ち運び可能な球箱に移し替えることができる。また、下皿２７の左側には、灰皿ユニット２９が設けられ、右側には、操作ハンドル３０が設けられている。操作ハンドル３０は、図１２に示す打球発射装置１３０の発射モータ６０１の駆動を停止させるための単発発射スイッチ１０９（ストップスイッチ）およびタッチリング１１０（タッチセンサ）に接続されるタッチ配線（図示しない）が組み付けられていると共に、弾発力を調節するものである。なお、タッチ配線は、単発発射スイッチ１０９からの配線と共に束ねられる。なお、図１におけるＡ−Ａでの概略断面図は、図１３に示しており、以下の説明において適時参照する。なお、図１３における概略断面図は遊技盤４０付近の断面図である。
【００２８】
弾球遊技機１の正面構造は、概ね上記した通りであるが、弾球遊技機１にカードユニット装置が隣接されている場合について説明する。このカードユニット装置は、前記上皿１９の上面に設けられる前述した球貸スイッチや返却スイッチ等の操作部を操作することにより作動されるものである。しかして、カードユニット装置の表面側には、使用可能状態であるか否かを表示する使用可能表示器（図示しない）と、当該カードユニット装置がいずれの側の弾球遊技機１に対応しているか否かを表示する連結台方向表示器（図示しない）と、記録媒体としての磁気カードを挿入するカード挿入口（図示しない）とが設けられている。そして、このように構成されるカードユニット装置は、独自の制御回路によって制御されるものであるが、後述する遊技球等貸出装置接続端子板１０３とカードユニット配線を介して接続され、このカードユニット配線から遊技球等貸出装置接続端子板１０３を経由して後述する払出制御基板９８に接続されている（図２参照）。なお、カードユニット装置を弾球遊技機１に内蔵しても良いし、カードユニット装置を付設せず、カードによる球貸し機能を有しない弾球遊技機でもよい。また、本実施形態においては、遊技者に玉を貸し出す（球貸しする）ためのユニット装置としてカードユニット装置を例示したが、例えば、紙幣等を挿入し得るユニット装置であっても良い。
【００２９】
一方、弾球遊技機１の背面には、図２に示すように、入賞球の発生に基づいて所定個数の賞球を払い出すための各種の機構を装備した機構板１４０が設けられると共に、前記操作ハンドル３０に対応する裏面には、発射モータ６０１および打球槌６００（図１２参照）を有する打球発射装置１３０が固着され、その打球発射装置１３０の側方には、機構板１４０の余剰玉通路を流下する賞球を前記下皿２７に誘導する接続樋３９２（図２参照）が固着されている。また、外枠２に対する前面枠３の開放側裏面には、外枠２の掛止片に対する前面枠３の施錠および前面枠３に対する前面扉枠４の施錠を行なう金属製の施錠装置１２８が設けられている。
【００３０】
上記した構成のうち、打球発射装置１３０には、発射制御基板１０７が付設されており、この発射制御基板１０７によって打球発射装置１３０が駆動制御されるようになっている。発射制御基板１０７は、基板ボックス６４０内に収容されると共に、プラ枠中継基板１０８を介して払出制御基板９８と接続されており、所定の状態（例えば、カードユニット未接続、それだけでもよいが、他に下皿満タン、球切れ時などのとき）となったときに払出制御基板９８から停止信号をうけて打球の発射を行なえないようになっている。
【００３１】
以上で、弾球遊技機１の全体の概略構成を説明したが、以下、弾球遊技機１を構成する要素のうち、遊技盤４０と、機構板１４０の詳細な構成について順次説明する。まず、図２，図３および図４を参照して遊技盤４０について説明する。図３は、遊技盤４０の拡大正面図であり、図４は、遊技盤４０の拡大背面図である。
【００３２】
遊技盤４０は、前面枠３の裏面側に一体的に形成される遊技盤収納枠部３９３（図１１参照）に収容固定されるべく、ほぼ正方形状の合板により形成されている。合板は、導電部分としてのたとえば導電性合成樹脂による導電性板４０ａを含む複数の板を積層することにより形成されている（図１３参照）。
【００３３】
遊技盤４０の表面には、ステンレス鋼板を円弧状に形成した誘導レール４２ａ，４２ｂが取り付けられている。これにより、打球発射装置１３０から発射された金属製の玉は、該誘導レール４２ａ，４２ｂ各々により形成される円形状の遊技領域４１内に導かれる。誘導レール４２ａ，４２ｂは、金属製のレール取付金具４３（図１３参照）を遊技盤４０に打ち込むことにより、取り付けられる。レール取付金具４３は、遊技盤４０を構成する導電性板４０ａに接するように打ち込まれる。このため、誘導レール４２ａと誘導レール４２ｂとは、導電性板４０ａを介して、電気的に接続させることができる。なお、誘導レール４２ａは、遊技領域４１の左下部分から右上部分までを区画形成し、誘導レール４２ｂは、遊技領域４１の右上部分から左上部分までを区画形成する。
【００３４】
遊技領域４１には、図示の場合、特別図柄表示装置４４ａ、液晶表示装置４４ｂ、特別可変入賞球装置４８、普通可変入賞球装置５８、普通図柄表示装置６３等が設けられると共に、単に打球を入賞とする入賞口、打球の流下方向，速度を変化せしめる風車又は多数の障害釘３７（図１３参照）が設けられ、また、遊技領域４１の最下方には、いずれの入賞領域にも入賞しない打球が取り込まれるアウト口６９が設けられている。なお、多数の障害釘３７は、遊技盤４０を構成する導電性板４０ａに接するように打ち込まれる。このため、多数の障害釘３７は、導電性板４０ａを介して、互いに電気的に接続させることができる（図１３参照）。
【００３５】
遊技領域４１の構成をより詳細に説明すると、液晶表示装置４４ｂの左側方には、通過球検出器６２が内蔵された通過ゲート６１が設けられている。この通過球検出器６２は、該通過球検出器６２内を通過する打球を検出すると、その検出信号に基づいて特別可変入賞球装置４８の右側方に備えられた普通図柄表示装置６３で普通図柄を変動表示（具体的には上下２箇所で「○」「×」を交互に点灯させる）して表示結果を導出する（上下２箇所でそれぞれ「○」「×」のいずれか一方を点灯させる）。即ち、普通図柄表示装置６３で「×」が点灯した場合には、普通図柄表示装置６３がハズレの表示結果を導出したことになる。一方、普通図柄表示装置６３で「○」が点灯した場合には、普通図柄表示装置６３が当りの表示結果を導出したことになり、普通可変入賞球装置５８が所定時間開放される。また、普通図柄表示装置６３の変動時間は、特別図柄表示装置４４ａにおける大当り図柄の出現確率が高くなる確率変動モードのときに相対的に短く（例えば、３〜５秒）、確率変動モードのときと比較し特別図柄表示装置４４ａにおける大当り図柄の出現確率が低くなる通常確率モードのときに相対的に長く（例えば、３０秒）設定されている。また、特別可変入賞球装置４８の左側方には、普通図柄表示装置６３の変動表示中に通過球検出器６２を通過した打球数を記憶表示する普通図柄始動記憶ＬＥＤ６４（最高４個まで記憶表示する）が設けられている。
【００３６】
また、特別図柄始動記憶ＬＥＤ４６には、特別図柄の変動動作中に後述する始動球検出器６０によって検出された球数を記憶表示する（最高４個まで記憶表示する）。なお、特別図柄始動記憶ＬＥＤ４６においては、始動記憶数の上限値を一定の４個としているが、これに限らず、予め定めた所定条件の成立に伴って始動記憶数の上限値を変更可能（例えば、確変大当りした場合には、２０個に増加する等）に構成してもよい。
【００３７】
普通可変入賞球装置５８は、遊技領域８のほぼ中央に配置される液晶表示装置４４ｂと、アウト口６９の上方に配置される特別可変入賞球装置４８との間に配置され、ソレノイド５９によって開閉駆動される電動チューリップタイプの可変入賞球装置である。そして、普通可変入賞球装置５８には、始動球検出器６０が内蔵され、開放中又は閉成中に受け入れた入賞球を検出するようになっている。しかして、打球が始動球検出器６０によって検出されると特別図柄表示装置４４ａにおいて特別図柄が、液晶表示装置４４ｂにおいて飾り図柄が変動開始する。なお、普通可変入賞球装置５８の開放時間は、通常確率モードのときに相対的に短く（例えば、０．５秒）、確率変動モードのときに相対的に長く（例えば、２秒）設定されている。また、普通可変入賞球装置５８が開放していない場合でも、普通可変入賞球装置５８の上部に設けられている始動口５８ａから打球を受け入れるようになっている。
【００３８】
特別図柄表示装置４４ａは、「０」〜「９」の特別図柄を変動表示する７セグメントＬＥＤを備えた表示器である。そして、特別図柄表示装置４４ａの変動停止時における特別図柄が予め定めた大当り図柄（たとえば、「３」または「７」）である場合に、所定の遊技価値の付与として特定遊技状態を発生して、特別可変入賞球装置４８を次に説明する所定の表示態様で開閉駆動するものである。但し、大当り図柄の一部（たとえば、「７」）は、確率変動図柄として設定され、この確率変動図柄で特定遊技状態となったときには、その特定遊技状態終了後における前記普通図柄表示装置６３での普通図柄の変動時間の短縮や当り（当りの点灯）の出現確率や特別図柄表示装置４４ａにおける大当り図柄の出現確率が高くなる確率変動モードとなるように設定されている。
【００３９】
液晶表示装置４４ｂは、「０」〜「９」の飾り図柄を左・中・右において個々に変動表示する変動表示領域を備えた表示領域８０が形成された液晶タイプの表示器である。液晶表示装置４４ｂで変動表示される飾り図柄とは、特別図柄表示装置４４ａにおける特別図柄の変動表示の装飾効果を高めるために特別図柄の変動表示と所定の関係を有して変動表示される装飾的な意味合いがある図柄をいう。所定の関係には、たとえば、特別図柄の変動表示が開始されたときに飾り図柄の変動表示が開始される関係や、特別図柄の変動表示が終了し表示結果が表示されたときに飾り図柄の変動表示が終了し表示結果が表示される関係等が含まれる。特別図柄表示装置４４ａの表示結果が大当り図柄の場合には、液晶表示装置４４ｂの表示結果も大当りが発生する予め定めた大当り図柄の組合せ（例えば、同一の図柄が当りラインのいずれかに揃った場合）となるように制御され、両表示結果の整合性が保たれるように制御される。なお、本実施の形態において、特別図柄始動記憶ＬＥＤ４６、特別図柄表示装置４４ａ、および、液晶表示装置４４ｂを含む外周には、装飾部材６６が設けられる。装飾部材６６の外周部は、導電性部材で形成されており、遊技盤４０を構成する導電性板４０ａに接するように、取付ビス６６ａ（図１３参照）により取り付けられる。このため、装飾部材６６の外周部は、導電性板４０ａと電気的に導通される。
【００４０】
また、装飾部材６６の上端から右側端に亘る部分には、液晶表示装置４４ｂ側への玉の侵入を防止する規制フランジ部７５が延設されており、該規制フランジ部７５と遊技領域４１の右上端から右側端を区画形成する誘導レール４２ｂとの間には、誘導通路７６が形成されている。また、遊技領域４１の右上部分には、緩衝部材７０（例えば、ゴム等）が設けられており、該緩衝部材７０への玉の衝突によって誘導通路７６内を通過する玉の勢いを弱めるようになっている。
【００４１】
特定遊技状態となったときに駆動制御される特別可変入賞球装置４８は、ソレノイド６５によって開閉駆動される開閉板４９を有し、その開閉板４９に受け入れられた打球を検出する入賞個数検出器５２が設けられている。また、特別可変入賞球装置４８内（開閉板４９の内側）には、打球の検出（Ｖ入賞検出）に伴って特定遊技状態の継続権を成立させる特定球検出器５１が設けられており、該特定球検出器５１の上方には、一旦Ｖ入賞検出があると次に開閉板４９を開放するまでは打球が特定球検出器５１を通過しないようにするＶシャッター（図示しない）が設けられている。このＶシャッターは、ソレノイド５０によって開閉駆動が行なわれる。しかして、特定遊技状態となった場合には、一定時間（例えば、２８秒）が経過するまで又はその一定時間内に所定個数（例えば、１０個）の入賞球が入賞するまで開閉板２５を開放（以下、この開放を開放サイクルという）し、その開放サイクル中に受け入れられた打球が特定球検出器５１によって検出されたときに継続権が成立して、再度上記した開放サイクルが実行され、各開放サイクルにおいて継続権が成立していることを条件に最高１６回の開放サイクルを繰り返すことができるようになっている。
【００４２】
なお、本発明の特定遊技状態は、上記に限らず以下に示す（１）〜（５）の制御のうちいずれか１つの制御又は組み合わせた制御を実行する状態であればよい。
【００４３】
（１）  打球の入賞を容易にする第一の状態と、打球が入賞できない又は入賞し難い第二の状態と、に変化可能な可変入賞球装置に対して所定時間連続的又は間欠的に第一の状態にする制御
（２）  特定の入賞又は通過領域での打球の検出を介在させ、打球の入賞を容易にする第一の状態と、打球が入賞できない又は入賞し難い第二の状態と、に変化可能な可変入賞球装置に対して所定時間連続的又は間欠的に第一の状態にする制御
（３）  打球の入賞に関わらず所定数の景品球を直接排出する制御
（４）  有価価値を有する記憶媒体（カードやレシート等）に対して有価数を加算する制御
（５）  得点があることに基づいて遊技可能な弾球遊技機に対して得点を付与する制御
また、特別可変入賞球装置４８の左右には、入賞球検出器５６ａ，５６ｂを内蔵する通常入賞口５４ａ，５４ｂが設けられ、該通常入賞口５４ａ，５４ｂ各々の外側上方には、それぞれ入賞球検出器５５ａ，５５ｂを内蔵する通常入賞口５３ａ，５３ｂが設けられている。
【００４４】
上記したように、打球が入賞するすべての入賞口および入賞装置には、入賞球を検出する入賞球検出器としての各スイッチ５１，５２，５５ａ，５５ｂ，５６ａ，５６ｂ，６０が設けられているが、これは、これらの検出信号に基づいて所定個数の賞球を払い出すために使用されるものである。なお、入賞球を検出するが、賞球を払い出さないスイッチ６２も設けられている。しかして、これらのスイッチ（入賞球検出器）５１，５２，５５ａ，５５ｂ，５６ａ，５６ｂは、図１５に示すように、次に説明するスイッチ中継基板９５を介して主基板１２０に接続され、主基板１２０では、これらの検出器からの検出信号により未払出数として対応した個数を加算すると共に順次払出制御基板９８に賞球個数信号を導出する。そして、払出制御基板９８は、その賞球個数信号に基づいて所定個数の賞球を払い出すように後述する玉払出装置１５４を駆動制御するようになっている。なお、スイッチ（特定球検出器）５１は、継続権の成立を検出する機能を兼用しており、スイッチ（入賞球個数検出器）５２は、開閉板４９の開放を規制するための計数機能を兼用している。
【００４５】
また、スイッチ（始動球検出器）６０は、図１５に示すように主基板１２０に直接接続されている。（ただし、他の入賞球検出器５１，５２，５５ａ，５５ｂ，５６ａ，５６ｂによって導出される賞球個数信号は、相対的に多い個数、例えば、１３個や１５個であるのに対し、始動球検出器６０に基づく賞球個数信号は、相対的に少ない個数、例えば、５個や７個である）これは、始動球検出器６０からの配線を直接主基板１２０に接続することにより、その途中に不正な回路基板を組み込んだ配線（ぶら下がり基板等と称されている）が接続されているか否かの発見を容易にするためである。そして、前述したスイッチの場合と同様に、所定個数の賞球を払い出す制御が行なわれる。また、始動球検出器６０と主基板１２０とを直接接続する配線は、他の配線の色と明らかに異なる色（本実施形態の場合には、ピンクと黄の蛍光色）としたので、この点からも始動球検出器６０からの配線に不正が行なわれているか否かを見分け易い。さらに、その始動球検出器６０と主基板１２０とを接続する配線を遊技機裏面側から見て視認できるようにしているので、より不正を発見し易い。なお、スイッチ（始動球検出器）６０は、特別図柄表示装置４４ａおよび液晶表示装置４４ｂにおいて変動表示をさせるための始動機能を兼用している。また、遊技盤４０には、装飾効果を高めるための装飾ＬＥＤが複数備えられている。
【００４６】
遊技盤４０には、上記したようにスイッチやソレノイド、あるいは装飾ランプや装飾ＬＥＤ等が多数設けられるが、これらは、音声枠ランプ基板９２および演出制御基板９０や、あるいはスイッチ中継基板９５を介して主基板１２０に接続されるようになっている。即ち、図１５に示すように、遊技盤４０に設けられる各スイッチ５１，５２，５５ａ，５５ｂ，５６ａ，５６ｂ，６２および各ソレノイド５０，５９，６５は、スイッチ中継基板９５を介して主基板１２０に接続され、遊技盤４０に設けられる装飾ＬＥＤは、音声枠ランプ基板９２および演出制御基板９０を介して主基板１２０に接続されている。
【００４７】
一方、遊技盤４０の裏面には、図４に示すように、遊技盤４０の裏面側の中央部分には、裏パック８１ａが取り付けられている。裏パック８１ａの中央には、液晶表示装置４４ｂが臨む開口（図示しない）が形成されており、この裏パック８１ａに対して、液晶表示装置４４ｂと、当該液晶表示装置４４ｂを収容するための液晶ボックス８１ｂとが取り付けられている。本実施の形態における液晶表示装置４４ｂは、インバータ基板８８と、液晶中継基板９１ａ，９１ｂとを含むように構成されている。液晶中継基板９１ａは、演出制御基板９０から液晶中継基板９１ｂおよびインバータ基板８８へ送信される信号を中継する。液晶中継基板９１ｂは、液晶中継基板９１ａから液晶表示装置４４ｂへ送信される信号を中継する。インバータ基板８８は、液晶中継基板９１ａからの情報信号の種類に応じて、液晶表示装置４４ｂに備えられたバックライトを制御するものである。
【００４８】
また、液晶ボックス８１ｂの後面には、演出制御基板ボックス１２５が直接取り付けられる。この演出制御基板ボックス１２５内には、ランプドライバ基板９３と、音声枠ランプ基板９２と、演出制御基板９０とが収容して取り付けられている。液晶ボックス８１ｂの後面には、演出制御基板ボックス１２５に形成された係合片（図示しない）が係合するスライド穴（図示しない）と、演出制御基板ボックス１２５を固定するための係止片１２５ａとが形成されている。しかして、演出制御基板ボックス１２５の係合片をスライド穴に挿入させた後、演出制御基板ボックス１２５を下方にスライドさせることにより、係止片１２５ａが演出制御基板ボックス１２５の上面に係止され、これによって、演出制御基板ボックス１２５が液晶ボックス８１ｂの後面に止着される。なお、係止片１２５ａを撓ませて、演出制御基板ボックス１２５を上方にスライドさせることにより、取り外すことができる。なお、玉払出装置１５４の構造については、図６および図７を参照して後述する。
【００４９】
ランプドライバ基板９３は、遊技盤４０に設けられる装飾ＬＥＤの点灯状態を制御するためのランプ中継基板８９と音声枠ランプ基板９２との接続を中継するものである。音声枠ランプ基板９２は、遊技盤４０に設けられる装飾ＬＥＤ、および前面扉枠４に設けられる遊技効果ＬＥＤや遊技効果ランプ、スピーカ１２ａ，１２ｂ等を主基板１２０からの情報信号に応じて一括して駆動制御するものである。また、音声枠ランプ基板９２には、音量を切り替える音量切替スイッチ１２７が設けられている。
【００５０】
演出制御基板９０は、液晶表示装置４４ｂの変動表示動作を主基板１２０からの情報信号の種類に応じて駆動制御するものであり、音声枠ランプ基板９２との情報信号のやり取りを行なうものである。
【００５１】
演出制御基板ボックス１２５のカバー表面には、凹部が形成されている。凹部には電源中継基板４７と周辺コマンド中継基板５７とが収容され、その上からカバー部材１２５ｂが取り付けられている。なお、カバー部材１２５ｂを取り付けたときには、当該カバー部材１２５ｂの面と演出制御基板ボックス１２５のカバーの面とが揃うように形成されている。周辺電源中継基板４７は、音声枠ランプ基板９２へ供給する電力を中継するものである。周辺コマンド中継基板５７は、演出制御基板９０へ出力する情報信号を中継するものである。
【００５２】
また、裏パック８１ａの下方には、遊技盤４０に設けられる各入賞口から入賞した入賞球を誘導する入賞球誘導路（図示しない）がその前面に形成される入賞球誘導カバー体８２が取り付けられている。
【００５３】
入賞球カバー体８２の後面には、図柄基板ボックス１２６が取り付けられる。この図柄基板ボックス１２６内には、特別図柄および特別図柄記憶基板８５、普通図柄基板８６、普通図柄記憶基板８７、図柄中継基板８４、ランプ中継基板８９、および、スイッチ中継基板９５とが収容して取り付けられている。
【００５４】
特別図柄および特別図柄記憶基板８５は、主基板１２０からの情報信号に応じて、特別図柄表示装置４４ａの表示状態と、特別図柄始動記憶ＬＥＤ４６を制御するためのものである。
【００５５】
普通図柄基板８６は、主基板１２０からの情報信号に応じて、普通図柄表示装置６３の表示状態を制御するためのものである。普通図柄記憶基板８７は、主基板１２０からの情報信号に応じて、普通図柄始動記憶ＬＥＤ６４を制御するためのものである。
【００５６】
図柄中継基板８４は、主基板１２０から特別図柄および特別図柄記憶基板８５、普通図柄基板８６、および、普通図柄記憶基板８７へ送信される信号を中継する。ランプ中継基板８９は、ランプドライバ基板９３から装飾ＬＥＤへ送信される信号を中継する。
【００５７】
スイッチ中継基板９５は、前述したように、遊技盤４０に設けられる各スイッチ５１，５２，５５ａ，５５ｂ，５６ａ，５６ｂ，６２および各ソレノイド５０，５９，６５と主基板１２０との接続を中継するものである。
【００５８】
図柄基板ボックス１２６の後面には、左側でヒンジ結合され、開閉自在となるように主基板取付ベース１３５が設けられており、当該主基板取付ベース１３５に主基板ボックス１３６が取り付けられている。このように構成したため、主基板ボックス１３６を開閉することができ、入賞球カバー体８２内に設けられている特別可変入賞球装置４８等のメンテナンスを行ないやすくすることができる。図柄基板ボックス１２６主基板ボックス１３６内には、主基板１２０が収容して取り付けられている。本実施の形態においては、主基板１２０が、遊技盤４０に取り付けられているため、新しい遊技盤に取り替えるときに、遊技盤自体を取り替えることにより、併せて主基板１２０を取り替えることができる。
【００５９】
ここで、主基板ボックス１３６の構造について説明する。主基板ボックス１３６は、主基板１２０を取り付けるための主基板ボックスベース１３６ａと、主基板ボックスカバー１３６ｂと、主基板ボックスベース１３６ａに主基板ボックスカバー１３６ｂを固く密着させるカシメネジ１３６ｃと、カシメキャップ１３６ｄとから構成されている。主基板ボックス１３６は、主基板ボックスベース１３６ａに主基板ボックスカバー１３６ｂを被せて、左右に設けられたカシメ部１３６ｅにカシメネジ１３６ｃを差し込み螺着し、その上からカシメキャップ１３６ｄで封止することにより、カシメ部１３６ｅを切断しない限り、開封できないように構成されている。これにより、カシメ部１３６ｅが切断されているか否かにより、主基板ボックス１３６が開封されたか否かを容易に判断することができる。
【００６０】
裏パック８１ａの右上方には、中継基板取付ボックス３８３が取り付けられている。中継基板取付ボックス３８３内には、枠ランプ中継基板９９が収容して取り付けられている。中継基板取付ボックス３８３の後面には、盤用外部端子板９６が取り付けられている。この盤用外部端子板９６は、弾球遊技機１の営業管理上必要な遊技情報（例えば、大当り遊技状態中である旨を報知する大当り１情報、確率変動図柄で大当り遊技状態となり、その大当り状態中およびその大当りによる確率変動中である旨を報知する大当り２情報（大当り中と確率変動中に出力され続ける信号）、確率変動図柄による大当り状態終了後の確率変動中である旨を報知する確率変動情報、始動球検出器をＯＮした打球の数を報知する始動口情報、特別変動表示装置の変動動作回数を報知する図柄確定回数１情報、普通変動表示装置の変動動作回数を報知する図柄確定回数２情報、および普通可変入賞球装置の開閉回数を報知する役物回数２情報等）を遊技場に設置される管理コンピュータに出力するための外部接続端子（図示しない）を有し、これらの情報が主基板１２０から与えられるようになっている。更に、どの図柄で大当りしたか、どの図柄で停止したか等の情報を出力するようにしてもよい。
【００６１】
以上、遊技盤４０の構成について詳細に説明してきたが、上記のように構成される遊技盤４０は、図１１に示すように、前面枠３の裏面側に形成される遊技盤収納枠部３９３に収納固定されるようになっている。遊技盤収納枠部３９３は、周知のように、ほぼ正方形状に構成される遊技盤４０を収容するように前面枠３の裏面に段差状に形成され、収容した遊技盤４０の裏面を押圧固定するための遊技盤係止レバー３６６が遊技盤収納枠部３９３の左側方および右側方各々に２箇所ずつ取り付けられている。なお、遊技盤係止レバー３６６の取付位置は、このような位置に限られるものではなく、適宜箇所に設けられるものであればよい。また、遊技盤収納枠部３９３の下方部は、平板状の支持板となって遊技盤４０の下辺を載置するようになっており、その支持板のほぼ中央にアウト球を誘導するアウト球連通口３３３が形成されている。また、遊技盤４０を遊技盤係止レバー３６６によって収容固定した状態においては、その裏面から機構板１４０が被覆されることとなるが、その機構板１４０は、遊技盤収納枠部３９３の一側側面上下に固定されるプラ枠ヒンジ金具３１４の上に突設される軸ピン３１５に機構板１４０の一側に固定される補強ヒンジ部材１７６の掛止穴１７７ａ（図５参照）を係止することにより、開閉自在に軸支され、また、遊技盤収納枠部３９３の適宜位置に植立される機構板固定用突起３６４を、機構板１４０に設けられる機構板係止用部材１６７の貫通孔に通して、当該機構板係止部材１６７をスライドさせることにより、機構板１４０を閉じた状態で保持することができるようになっている。このように、本実施の形態においては、機構板係止部材１６７を設けてスライド式を採用したため、機構板係止部材１６７が外枠２の内壁に接触することがない。これにより、たとえば、機構板係止レバーを設けたレバー式を採用した従来のものと比較し、機構板１４０を閉じるときに、機構板係止部材１６７が破損する不都合を未然に防止することができる。なお、機構板１４０は、前面枠３に対して固定されて開閉できないものであってもよい。
【００６２】
次に、弾球遊技機１の背面に設けられる機構板１４０の構成について図２および図５を参照して説明する。図５は、機構板１４０の分解斜視図である。図２および図５において、機構板１４０は、主として賞球を貯留する賞球タンク１４７と該賞球タンク１４７に貯留された賞球を下流側に整列しながら誘導する玉整列レール部材１４８が設けられる上部構成部と、カーブレール部を有しカーブレール部からの球を誘導する玉通路カバー部材１５６と入賞に基づく賞球を払い出す玉払出装置１５４（本実施形態では、貸球も払い出すが、賞球のみ払い出すものでもよい）とが設けられる中間構成部と、主として遊技盤４０に打ち込まれた入賞球を含む打球を処理するための構成、および賞球を上皿１９および下皿２７に導くための構成が設けられる下部構成部と、が開口窓１４６を構成するように機構板主体１４１上に一体的に形成されている。機構板主体１４１は、機構板主体１４１のそれぞれ上部および右側部（弾球遊技機１の背面側から見て），左側部（弾球遊技機１の背面側から見て），および下部をそれぞれ構成する上部板１４２，左側板１４３および下部板１４４を取付ネジ１４１ａによって連結することにより構成されている。本実施の形態における上部板１４２，左側板１４３および下部板１４４は、耐磨耗性を向上させるために、緑色の顔料がねり込まれた緑色透明のポリカーボネート樹脂で成形されている。透明色を緑色透明としているが、着色しない透明の場合、黄ばんだ透明色になってしまい美観が損なわれるため（タバコのヤニなどで汚れたような感じになってしまう）、緑色透明とすることでその点を解消している。
【００６３】
また、機構板１４０の強度を高めるために開口窓１４６の軸支側に上部構成部と下部構成部とに亘って取り付けられる補強ヒンジ部材１７６が取付ネジ１７６ａによって取り付けられている。補強ヒンジ部材１７６は、金属からなると共に、その上下両端に折曲形成された取付片１７７の掛止穴１７７ａにプラ枠ヒンジ金具３１４の軸ピン３１５（図１１参照）が係止されることで、機構板１４０を前面枠３に対して開閉自在に軸支するようになっている。
【００６４】
本実施の形態においては、補強ヒンジ部材１７６が接地線を介して接地される。たとえば、補強ヒンジ部材１７６が、遊技場に設けられている接地コンセントに接地線を介して接地される構成であってもよい。また、一般に、カードユニット装置は接地線を介して接地されているので、カードユニット装置のＦＧ（フレームグラウンド）端子に接地線を介して接続する構成であってもよい。以下、説明するように、遊技機に取り付けられている各種導電性機器は、補強ヒンジ部材１７６に電気的に接続されることにより、接地される。
【００６５】
次に、機構板１４０の構成について、各構成部毎に説明する。まず、上部構成部には、多量の賞球を貯留する賞球タンク１４７と、該賞球タンク１４７から供給される賞球を仕切壁１７８によって複数列（本実施形態の場合、２列）に整列して流下させる玉整列レール部材１４８と、該玉整列レール部材１４８によって誘導された賞球を後述する玉払出装置１５４に向けて左右方向から上下方向へ方向転換するカーブレール部の上方に設けられた枠用外部端子板１０２とがそれぞれ上部板１４２の所定の位置に設けられている。
【００６６】
賞球タンク１４７は、その左右両側に突設された取付片１６４によって上部板１４２の上端側に突設された取付ボス１７９に取付ネジ１６４ａで取り付けられるようになっている。また、賞球タンク１４７は、カーボンを８重量％含有したＡＢＳ樹脂（導電性合成樹脂）により上面が開放したボックス状に形成されると共に、傾斜して底面１６５が形成されている。賞球タンク１４７は、補強ヒンジ部材１７６と配線接続されており、接地される。遊技店において、玉は遊技機設置島に設けられている補給路を通ってから遊技機の賞球タンク１４７に補給されるので、賞球タンク１４７に補給される前に既に玉が帯電していることが多い。しかし、賞球タンク１４７が、カーボンを含有する導電性合成樹脂で形成され、かつ、補強ヒンジ部材１７６を介して接地されているので、賞球タンク１４７に貯留された玉の電荷はアース側に逃げ帯電が解消される。
【００６７】
賞球タンク１４７の下流側に配置される玉整列レール部材１４８は、上部構成部の一端から他端に向けて傾斜状に取付ボス１８０に取付ネジ１４８ａで取り付けられ、その内部中央に仕切壁１７８が立設されている。この仕切壁１７８は、賞球タンク１４７の落下口から流出した賞球を下流に向かうにしたがって確実に２列に整列させるために徐々に高く形成されている。玉整列レール部材１４８は、カーボンを８重量％含有したＡＢＳ樹脂により形成されている。また、玉整列レール部材１４８の上方中央には、接続孔１４８ｂが設けられており、前述した賞球タンク１４７の右下方に設けられた取付片１４７ａを間に挟み込み、取付ビス１４８ｃで取り付けられるように構成されている。これにより、玉整列レール部材１４８と賞球タンク１４７とは、玉整列レール部材１４８の接続孔１４８ｂと賞球タンク１４７の取付片１４７ａとが直接接触することにより、電気的に導通させることができる。
【００６８】
また、玉整列レール部材１４８の下流側上部には、球ならし部材１４９が取付ボス１８１を支点として取付ネジ１４９ａによって揺動自在に垂下され、玉整列レール部材１４８上を上下２段となって流下する球を球ならし部材１４９に埋設される重錘（符号なし）の作用によって１段とするようになっている。
【００６９】
上記した玉整列レール部材１４８の下流側上部には、外部との信号線が接続される外部接続端子を有する枠用外部端子板１０２が取り付けられる。枠用外部端子板１０２の取付部分は、凹んでおり、ハンダ面の突出部分が接触しないように形成されている。枠用外部端子板１０２に設けられる外部接続端子としては、外部（例えば、管理コンピュータ）と弾球遊技機１との間の信号線を接続するコネクタとして、賞球数を出力するためのコネクタと、第１・第２ドア開放スイッチ１１１，１１２からの信号を出力するためのコネクタとが設けられている。また、枠用外部端子板１０２の側方には、枠用外部端子板１０２が接続される外部の情報を記す外部情報シール１８３が貼付して設けられている。
【００７０】
上部板１４２に位置する上部構成部には、上記した構成以外に、上記した賞球タンク１４７の左上部および枠用外部端子板１０２の上部に対応する位置の取付ボス１８４に機構板係止用部材１６７が取付ネジ１６７ａによって左右方向にスライド自在に支持されて設けられている。機構板係止用部材１６７には、前記遊技盤収納枠部３９３の所定の位置に植立固定される機構板固定用突起３６４の先端部が通る貫通孔が形成されており、この貫通孔と機構板固定用突起３６４との係合を解除するようにスライドさせることにより、機構板１４０の遊技盤収納枠部３９３への固定状態を解除することができる。なお、機構板係止用部材１６７は、賞球タンク１４７の左上部および枠用外部端子板１０２の上部に設けられているため、機構板１４０の遊技盤収納枠部３９３への固定状態を堅固に安定化させることができるようになっている。なお、機構板係止用部材１６７は、下部構成部の開放端部にもう一つあり、計３つ設けられている。
【００７１】
また、賞球タンク１４７の左上部および枠用外部端子板１０２の右上部の機構板１４０の裏面には、それぞれ、第１ドア開放スイッチ１１１と、第２ドア開放スイッチ１１２とが、取付ビス１１１ａ，１１２ａにより設けられている。本実施の形態における第１ドア開放スイッチ１１１は、前面扉枠４と前面枠３とが開放したこと、および、機構板１４０と前面枠３とが開放したことを検出する。第２ドア開放スイッチ１１２は、前面枠３と外枠２とが開放したことを検出する。第１ドア開放スイッチ１１１および第２ドア開放スイッチ１１２は、枠用外部端子板１０２に接続されている。このように、第１ドア開放スイッチ１１１および第２ドア開放スイッチ１１２が備えられているため、外枠２，前面枠３および前面扉枠４の開放状態を外部装置等によって確認することができる。なお、この第１ドア開放スイッチ１１１および第２ドア開放スイッチ１１２の配線は、枠ランプ中継基板９９に接続された後、音声枠ランプ基板９２に接続され、演出制御基板９０を経由して主基板１２０に接続するようにし、そして、主基板１２０からの情報信号に基づいて音声枠ランプ基板９２によって遊技効果ＬＥＤ、遊技効果ランプ等を点灯制御することにより外枠２，前面枠３および前面扉枠４の開放状態を報知するようにしてもよい。
【００７２】
次に、上部板１４２に位置する中間構成部の構成について説明する。中間構成部は、その側方に垂直状に突設される中間部補強リブ１８５ａ，１８５ｂが形成されている。また、中間構成部の表面側には、通路カバー１８６が取付ネジ１８６ａによって取り付けられることにより、球が通過する玉抜き通路（図示しない）が形成されている。この玉抜き通路は、後述する玉抜き通路下流部と連通しており、玉整列レール部材１４８および賞球タンク１４７に待機する球を誘導して弾球遊技機１の外側（弾球遊技機１を設置する島の回収樋）に導くものである。この玉抜き通路への球の誘導は、玉通路カバー部材１５６に設けられる玉抜きストッパー１５１を解除することにより行なわれる。この玉抜きストッパー１５１は、玉抜きレバー１５１ａを回転させることにより、通路カバー１８６の上部に突設した取付ボス７００を支点として回転可能に取付ネジ１５１ｂによって取り付けられている。本実施の形態においては、玉抜きレバー１５１ａを時計回りに９０度回転させることにより、玉抜きストッパー１５１を解除することができる。玉抜きストッパー１５１が解除されると、揺動自在に取り付けられている玉抜き弁１５２が解除され、玉抜き弁１５２の下方から玉抜き通路内へ球が誘導される。一方、玉抜きレバー１５１ａを反時計回りに９０度回転させることにより、玉抜きストッパー１５１を固定することができる。玉抜きストッパー１５１が固定されると、玉抜き弁１５２が固定され、球が玉抜き通路に導入されない。なお、玉整列レール部材１４８の下流側の上部で後述する玉通路カバー部材１５６に突設される球ならし片１６１は、球ならしするためのものである。
【００７３】
また、中間構成部の上部には、上記した玉整列レール部材１４８の下流側に接続されるカーブレール部および玉通路部を有する玉通路カバー部材１５６が、取付ボス１５６ａに取付ネジ１５６ｂで取り付けられる。玉通路カバー部材１５６のカーブレール部は、玉整列レール部材１４８から流下する球を前記玉抜き通路あるいは、玉払出装置１５４に玉を誘導する玉通路１８８，１８９のいずれかに分岐するものである。カーブレール部の下流側には、玉払出装置１５４が配置されている。
【００７４】
玉通路カバー部材１５６は、カーボンを８重量％含有したＡＢＳ樹脂により形成されている。また、玉通路カバー部材１５６の左上方には、取付片１５６ｃが設けられており、前述した玉整列レール部材１４８の右下方に設けられた取付片１４８ｄを間に挟み込み、取付ビス１５６ｄで取り付けられるように構成されている。これにより、玉通路カバー部材１５６と玉整列レール部材１４８とは、玉通路カバー部材１５６の取付片１５６ｃと玉整列レール部材１４８の取付片１４８ｄとが直接接触することにより、電気的に導通させることができる。
【００７５】
玉通路カバー部材１５６の下流側には、球切れスイッチ１５７が着脱自在に装着されており、球切れスイッチ１５７を取り外しできる。この球切れスイッチ１５７は、サンパック中継基板１０１に接続されるようになっている（図２参照）。そして、球切れスイッチ１５７は、サンパック中継基板１０１を介して払出制御基板９８および主基板１２０に入力され、球を検出しなくなったときには、後に説明する玉払出装置１５４の払出モータ１１５の作動を停止して賞球の払出を不能動化させるようになっている（主基板１２０からの払出停止コマンドを払出制御基板９８が受信することで、払出制御基板９８が払出停止制御を行なう。）。
【００７６】
また、玉通路カバー部材１５６の下部には、取付ネジ１５９ａによって玉ストッパー部材１５９が取り付けられている。玉ストッパー部材１５９の構造について図８を参照して後述する。
【００７７】
玉ストッパー部材１５９は、ステンレス鋼により形成されている。これにより、玉ストッパー部材１５９と玉通路カバー部材１５６とは、直接接触することにより、電気的に導通させることができる。
【００７８】
また、玉通路カバー部材１５６には、後述する払出装置カバー１６８の係合穴１６９と係合する係止爪７０６が設けられている。また、係止爪７０６の下方両側方には、払出装置カバー１６８の軸支穴７０７が挿通される軸支突起１６２が突設されている。払出装置カバー１６８は、軸支穴７０７がカーブレール部材１５０の軸支突起１６２に回動自在に軸支して取り付けられ、払出装置カバー１６８の上方には、前記係止爪７０６との係合によって払出装置カバー１６８の開放状態を保持する係合穴１６９が形成されている。払出装置カバー１６８の下側外壁面には、玉払出装置１５４のケース１５５の取り外し作業における説明事項を記したシール１８７が貼付されている。
【００７９】
上記した玉通路カバー部材１５６の下方には、玉払出装置１５４を取り付けるための玉払出装置取付部１５４ａが形成されている。玉払出装置取付部１５４ａには、玉払出装置１５４を内部に収容するほぼ直方体形状をなすケース１５５に形成された係合片（図示しない）が係合するスライド穴１５４ｂと、ケース１５５を固定するための係止片１５４ｃとが形成されている。しかして、ケース１５５の係合片をスライド穴１５４ｂに挿入した後、ケース１５５を左側にスライドさせることにより、係止片１５４ｃがケース１５５の側面に係止され、これによって、ケース１５５が玉払出装置取付部１５４ａに止着される。なお、係止片１５４ｃを撓ませることにより、ケース１５５を取り外すことができる。玉払出装置１５４の構造については、図６および図７を参照して後述する。
【００８０】
以上で、機構板１４０の中間構成部についての説明を終了し、次に、機構板１４０の下部構成部（下部板１４４）について説明すると、下部構成部は、図２に示すように、背面から見てその右側部分に払出制御基板９８を収容する払出制御基板ボックス１２３が取り付けられ、背面から見てその左側部分に電源ユニット基板９７を収容する電源基板ボックス１２２が取り付けられている。なお、払出制御基板ボックス１２３も、前述した主基板ボックス１３６の構造と同様に構成されている。すなわち、払出制御基板ボックス１２３は、払出制御基板ボックスベースに払出制御基板ボックスカバーを被せて、左右に設けられたカシメ部にカシメネジを差し込み螺着し、その上からカシメキャップで封止することにより、カシメ部を切断しない限り、開封できないように構成されている（いずれも図示しない）。これにより、カシメ部が切断されているか否かにより、払出制御基板ボックス１２３が開封されたか否かを容易に判断することができる。
【００８１】
払出制御基板ボックス１２３が取り付けられる下部構成部の前面側（機構板主体１４１の遊技盤４０と対面する内側）には、入賞球を誘導する入賞球誘導通路（図示しない）とアウト球を誘導するアウト玉通路（図示しない）とが形成され、下部構成部の背面側（機構板主体１４１の外側）には、賞球通路７０９、連絡通路７１０、余剰玉通路７１１が形成されると共に玉抜き通路下流部７１２も形成されている。
【００８２】
玉抜き通路下流部７１２の右側方には、サンパック中継基板１０１を取り付ける基板取付部７１８が、サンパック中継基板１０１を囲むように形成されており、サンパック中継基板１０１は、この基板取付部７１８の内側に突設された取付ボス７１９に取付ネジ１０１ａによって取り付けられる。
【００８３】
なお、払出制御基板ボックス１２３には、払出制御基板９８に備えられたエラー解除スイッチ（図示しない）のエラー内容を記したエラー表示シール７３５と、払出制御基板ボックス１２３を開封した履歴を記載するための開封履歴シール７３６とが貼付され、電源基板ボックス１２２には、電源ユニット基板９７に備えられる電源部品の名称を記した部品名称シールおよびバックアップのクリア方法の手順を記した手順シール７３７が貼付されている。
【００８４】
次に、機構板１４０の下部構成部の背面から見て右側部分（以下、右側下部構成部という）の構成について説明する。機構板１４０の右側下部構成部の一側上部に賞球通路７０９が形成され、該賞球通路７０９の下端に上皿連通口７１３が形成されている。この上皿連通口７１３は、弾球遊技機１の前面に設けられる上皿１９に賞球を導くものである。上皿連通口７１３の一側側方には、連絡通路７１０が形成され、その連絡通路７１０の下流に余剰玉通路７１１が接続されている。
【００８５】
しかして、入賞に基づく賞球が多数払い出されて上皿１９が賞球で満杯となり、遂には上皿連通口７１３に到達してさらに賞球が払出続けられたときには、賞球は、連絡通路７１０を介して余剰玉通路７１１に導かれ、その後、前記接続樋３９２を介して下皿２７に排出される。そして、さらに賞球が払出続けられたときには、下皿２７も満杯になるが、余剰玉通路７１１の一側側壁に設けられた満タン検知レバー７１４部分にまで到達すると、満タン検知レバー７１４が押圧されて満タンスイッチ１５８がＯＮされ、玉払出装置１５４の払出モータ１１５の駆動を停止して賞球および貸球の払出動作を不能動化する。（主基板１２０からの払出停止コマンドを払出制御基板９８が受信することで、払出制御基板９８が払出停止制御を行なう。）このとき、打球発射装置１３０の発射モータ６０１の駆動も停止するが、停止しないものであってもよい。満タン検知レバー７１４は、その上端が軸突起に軸支されて揺動自在に設けられ、その満タン検知レバー７１４の後方に満タンスイッチ１５８のアクチュエータを位置させて満タン検知レバー７１４の揺動動作を検出するものである。満タンスイッチ１５８は、その上部の止着穴７１５によって機構板１４０側の取付ボス７１６に取付ネジ１５８ａ止めされる。
【００８６】
また、上記した賞球通路７０９、玉抜き通路下流部７１２、および余剰玉通路７１１の後面は、機構板主体１４１の取付ボス７１７に取付ネジ１７０ａ止めされる下部通路カバー体１７０によって覆われている。そして、満タンスイッチ１５８は、下部通路カバー体１７０に形成される開口１７１から挿入されて所定の位置に取付ネジ１５８ａで固定し得るようになっている。
【００８７】
下部通路カバー体１７０の右上方には、遊技球等貸出装置接続端子板１０３を収容する遊技球等貸出装置接続端子板ボックス１０３ａが、下部通路カバー体１７０に突設された取付ボス７２２に取付ネジ１０３ｂによって取り付けられている。遊技球等貸出装置接続端子板ボックス１０３ａの下方には、遊技球等貸出装置接続端子板１０３と接続される配線を収容する通路である配線通路７２１ｂが形成されている。この配線通路７２１ｂの側方には、配線を押えるための配線押え７２１ｃが、下部通路カバー体１７０に突設された取付ボス７２１ｄに取付ネジ７２１ｅによって取り付けられている。
【００８８】
この遊技球等貸出装置接続端子板ボックス１０３ａの上部には、段差部が形成されており、この段差部の前面側には、取付ネジ７２３ａによって誘導突起部材７２３が取り付けられている。この誘導突起部材７２３は、前記上皿連通口７１３に臨むものである。
【００８９】
下部板１４４の余剰玉通路７１１の左側には、払出制御基板ボックス１２３に形成された係合孔１２３ａと係合する係合片と、電源基板ボックス１２２に形成された係合孔（図示しない）と係合する係合片と、を有する取付レバー１２６が上下にスライド可能に取り付けられている。しかして、取付レバー１２６の上側の係合片を払出制御基板ボックス１２３の係合孔１２３ａに挿入し、取付レバー１２６の下側の係合片を電源基板ボックス１２２の係合孔に挿入した後、取付レバー１２６を下方向にスライドさせる。これにより、払出制御基板ボックス１２３を下部通路カバー体１７０の背面側、即ち、機構板１４０の下部一側に止着される。また、電源基板ボックス１２２を下部板１４４左方の背面側に止着される。なお、取付レバー１２６を上方向にスライドさせることにより、払出制御基板ボックス１２３および電源基板ボックス１２２を取り外すことができる。なお、本実施の形態においては、電源基板ボックス１２２と下部板１４４との間に、シールド板金部材１２１が設けられている。これにより、電源基板ボックス１２２と、電源基板ボックス１２２の前面側に設けられている発射制御基板１０７や発射モータ６０１との間を遮ることができる。すなわち、電源ユニット基板９７の電源をＯＮにしたときに発生する磁界により、その前面側に配置される発射制御基板１０７や発射モータ６０１等が影響を受け、誤動作することや破壊することを未然に防止することができる。
【００９０】
電源基板ボックス１２２は、内部に複数の電圧の異なる電源を生成する電源ユニット基板９７を収容するものである。電源ユニット基板９７には、弾球遊技機１全体の電源をＯＮ・ＯＦＦするための電源スイッチ、弾球遊技機１のすべての動作をクリアするためのクリアスイッチおよび管ヒューズ等が実装されている。また、電源ユニット基板９７は、電源コード１１７が接続される電源コネクタが実装されている。電源コネクタに接続される電源コード１１７は、前記枠用外部端子板１０２の側方に形成される配線通し開口１６６から機構板主体１４１の前面側に形成される配線通しに沿って左側板１４３側を通って機構板１４０の下部まで引き通され、機構板主体１４１に設けられる開口から機構板主体１４１の裏側に引き出されて電源コネクタに接続される。電源コード１１７によって供給される電圧は、ＡＣ２４Ｖの電圧であり、電源ユニット基板９７で生成される複数の電圧は、ＤＣ３０Ｖ、ＤＣ２１Ｖ、ＤＣ１２Ｖ、ＤＣ５Ｖの４種類である。（但し、他の基板に対してＡＣ２４Ｖも供給する。）また、電源ユニット基板９７は、主基板１２０および払出制御基板９８の各ＣＰＵに駆動電源が供給されていない間、各基板１２０，９８のＲＡＭの記憶内容をバックアップ（保持）するために各基板１２０，９８にバックアップ電源を供給するようになっている。なお、電源ユニット基板９７から電源断信号が出力されることによって主基板１２０は、バックアップをするための処理を行なうようになっている。なお、払出制御基板９８にもバックアップする処理を行ってもよい。
【００９１】
右側下部構成部の機構板主体１４１の前面側（遊技盤４０に当接する側）には、入賞球を誘導する入賞球誘導通路（図示しない）とアウト球を誘導するアウト玉通路（図示しない）とが形成されている。入賞球誘導通路の上方は、入賞球落下入口７４０となっており、前記入賞球誘導カバー体８２から放出される入賞球を受け入れるようになっており、その受け入れた入賞球を入賞球誘導通路が一側側方に向かって誘導し、機構板主体１４１に形成された連通口（図示しない）から機構板主体１４１の背面側に導き、さらにその連通口から前記玉抜き通路下流部７１２に導くようになっている。前記玉抜き通路下流部７１２は、右側下部構成部の外周縁に沿って逆Ｌ字状に屈曲され、下部構成部のほぼ中央背面側に形成される前記余剰玉通路７１１の右側方に形成される合流排出通路７４１に最終的に合流するようになっている。したがって、入賞球落下入口７４０から受け入れられた入賞球は、入賞球誘導通路、連通口、玉抜き通路下流部７１２、および合流排出通路７４１を介して弾球遊技機１の外部に誘導されるようになっている。なお、入賞球誘導通路は、その背面を機構板主体１４１で構成しているが、その前面は、前面枠３に取り付けられた後述する閉塞板３８６で構成されている。
【００９２】
また、アウト玉通路は、前記入賞球落下入口７４０の側方に形成される凹部７４２の下方に入賞球誘導通路と上下方向に重複するように形成され、その流下端の機構板主体１４１に連通口が開設されて下部板１４４の背面側に形成される合流排出通路７４１に連通するようになっている。なお、上記した凹部７４２は、遊技盤４０の下部を裏面から固定するために遊技盤収納枠部３９３の下部ほぼ中央に取り付けられる遊技盤係止レバー３６６を収容するためのものである。
【００９３】
しかして、遊技盤４０のアウト口６９から取り込まれたアウト球が遊技盤４０の裏面に刻設されるアウト球排出通路（図示しない）に導かれ、さらに遊技盤収納枠部３９３の下部の板状部分に形成されるアウト球連通口３３３（図１１参照）を経由して上記したアウト玉通路に導かれ、連通口、合流排出通路７４１を通って弾球遊技機１の外部に導かれる。つまり、上記した合流排出通路７４１は、玉抜き通路下流部７１２からの抜き球、アウト玉通路からのアウト球、入賞球誘導通路からの入賞球をすべて合流して弾球遊技機１の外部に誘導するものである。
【００９４】
次に、図６および図７を用いて、玉払出装置１５４の構造を説明する。図６は、玉払出装置１５４の斜視図であり、図７は、玉払出装置１５４の分解斜視図である。
【００９５】
玉払出装置１５４のケース１５５は、左外側のケース１５５ａと、右外側のケース１５５ｃと、ケース１５５ａとケース１５５ｃとの間のケース１５５ｂと、をケース１５５ｃ側から取付ビス７１により組み付けられて一体となるように構成されている。これらケース１５５ａ，１５５ｂ，１５５ｃは、耐磨耗性を向上させるために、ポリカーボネート樹脂で成形されている。
【００９６】
ケース１５５ａと、ケース１５５ｂとの間には、カーボンを８重量％含有したＡＢＳ樹脂（導電性合成樹脂）から形成された仕切板７２と、シャフト７３を回転軸として回転することにより玉を払出す玉払出部材７４（スクリューやスプロケット等のモータによって駆動される回転部材）と、玉払出部材７４が回転することにより払出された玉を検出するための払出個数カウントスイッチ１１６と、払出中継基板１１３とが設けられている。
【００９７】
ケース１５５ａおよびケース１５５ｂの内側には、玉通路カバー部材１５６により誘導された玉を玉払出部材７４まで誘導する玉供給通路部材７７ａ，７７ｂとが立設されている。玉供給通路部材７７ａ，７７ｂおよびケース１５５ａ，１５５ｂの内壁により、玉を玉払出部材７４まで誘導する玉供給通路が形成されている。また、玉供給通路には、仕切板７２が設けられており、左右２列の玉通路１８８，１８９各々に対応して２条の通路が形成されている。これにより、仕切板７２と玉供給通路内の玉とを電気的に導通させることができる。仕切板７２は、ケース１５５ａとケース１５５ｂとを組み付けたときに、当該ケースの上部において突起した部分が形成されるように、突起部７２ａが設けられている。玉払出部材７４は、玉供給通路から供給される玉を１個づつ区切って払い出す。本実施の形態における玉払出部材７４は、円盤部が形成され、該円盤部の両側面には、それぞれ玉を受け入れる間隔を保持して突設される複数（３つ）の突出部が形成されることで、各突出部の間は、玉を受け入れ誘導するための凹部として形成されている。
【００９８】
ケース１５５ａおよびケース１５５ｂの内側には、さらに、玉払出部材７４により払い出された玉を玉排出口８４まで誘導する玉払出通路部材８４ａ，８４ｂが立設されている。玉誘導通路部材８４ａ，８４ｂおよびケース１５５ａ，１５５ｂの内壁により、玉を玉排出口８４まで誘導する玉払出通路が形成されている。玉払出通路は、仕切板７２は設けられず、左右２列分の幅の玉通路が中央に傾斜し、１列分の幅（玉１個が流下する幅）となる。
【００９９】
払出個数カウントスイッチ１１６は、玉排出口８４に設けられており、玉払出部材７４により払い出される玉を検出する。これにより、払出個数カウントスイッチ１１６からの検出信号に基づき、玉払出装置１５４から実際に排出された玉の数をカウントすることができる。なお、本実施の形態における玉排出口８４は、１つの排出口からなり、玉払出装置１５４から排出する球を貸球として払い出す貸球排出口と景品球として払い出す景品球排出口とを兼用した形で構成されている。払出中継基板１１３は、取付ビス１１３ａにより、ケース１５５ｂに取り付けられる。ケース１５５ａには、払出中継基板１１３と配線とを接続するためのコネクタ貫通開口が形成される接続用凹部が形成されている。
【０１００】
次に、ケース１５５ｂと、ケース１５５ｃとの間には、玉払出部材７４を回転駆動させるための払出モータ１１５と、当該払出モータ１１５からの動力を玉払出部材７４に伝達するための歯車７９と、玉払出装置１５４内の玉供給通路と払出モータ１１５との間に設けられた絶縁材料から形成された絶縁カバー８３と、払出センサ基板１１４とが設けられている。
【０１０１】
払出モータ１１５は、取付板１１５ａと一体となるように構成されている。取付板１１５ａには、取付孔１１５ｂが形成されている。ケース１５５ｂには、払出モータ１１５が臨む開口と、取付部１１５ｃとが形成されている。払出モータ１１５は、取付板１１５に設けられている取付孔１１５ｂに、ケース１５５ｂに設けられている取付部１１５ｃを挿入して、ケース１５５ｂ内に取り付けられる。
【０１０２】
絶縁カバー８３は、玉供給通路と払出モータ１１５との間を遮蔽する遮蔽部８３ａと、払出モータ１１５の回転軸が臨む開口とケース１５５ｂに設けられている取付部１１５ｃに対応する取付孔とが形成された取付部８３ｂとから構成されている。絶縁カバー８３は、払出モータ１１５の取付板１１５ａの上から、取付部８３ｂに設けられている取付孔に、ケース１５５ｂに設けられている取付部１１５ｃを挿入して、ケース１５５ｂ内に取り付けられる。
【０１０３】
歯車７９は、その中心に形成されている嵌合孔７９ａに、玉払出部材７４の回転軸の一端部を嵌入させて、払出モータ１１５の回転軸に取り付けられている歯車と噛合うように取り付けられる。これにより、払出モータ１１５からの動力を、歯車７９を介して、玉払出部材７４に伝達することができる。よって、払出モータ１１５を駆動することにより、玉払出部材７４を回転させることができる。なお、歯車７９の一側面には、外周に沿って複数の検出突片が突設されている。
【０１０４】
払出センサ基板１１４は、取付ビス１１４ａにより、ケース１５５ｃに取り付けられる。払出センサ基板１１４は、ケース１５５ｃに取り付けられた状態で、払出センサ基板１１４に備えられたモータ位置センサにより、玉の払出動作を確実に行なうために払出モータ１１５の停止位置（正確には、回転部材としての玉払出部材７４の停止位置）を検出することができる。モータ位置センサは、歯車７９の一側面に突設されている複数の検出突片が横切ることにより、玉払出部材７４の回転位置を検出するようになっている。
【０１０５】
なお、本実施の形態における玉払出装置１５４は、２条を１条に変換するようにしているが、２条（複数条）を２条（複数条）のまま払い出すようにしてもよいし、２条を１条にした後に再び２条とするものでもよい。但し、本実施形態では、２条で受けるのは、払出スピードを向上するのが目的で、それを１条にするのは、カウントスイッチの数を少なくしてコストダウンを図るためである。
【０１０６】
また、本実施の形態における玉払出装置１５４のケース１５５ｃの側面には、払出モータ１１５の回転軸が挿通する回転軸挿通穴１５５ｄが形成されている。これにより、手動で払出モータ１１５の回転軸を回転させることができる。よって、玉払出部材７４に残存している玉を、手動で払出モータ１１５の回転軸を回転させることにより、取り出すことができる。
【０１０７】
図８は、玉払出装置１５４を玉払出装置取付部１５４ａに取り付ける前の状態と取り付けた後の状態とを説明するための、図２におけるＢ−Ｂでの概略断面図である。なお、図８における概略断面図は、弾球遊技機１の正面から見て左側からの玉払出装置取付部１５４ａ付近の断面図である。
【０１０８】
玉通路カバー部材１５６の下流に取り付けられた玉ストッパー部材１５９は、玉通路１８８，１８９各々に対応して玉通路カバー部材１５６に穿設される挿通穴１５６ｅに挿入し玉の流下をストップさせる２つのストッパー片と玉払出装置１５４のケース１５５に当接する当接部とが一体的に形成されたストッパー部材１５９ｂと、ストッパー片が挿通穴１５６ｅに挿入する状態となるようにストッパー部材１５９ｂを付勢するバネ（図示しない）と、当該ストッパー部材１５９ｂを玉通路カバー部材１５６に取り付けるための取付部材１５９ｃとから構成されている。
【０１０９】
図８（ａ）は、玉払出装置１５４を玉払出装置取付部１５４ａに取り付ける前の状態を説明するためのＢ−Ｂでの概略断面図である。玉払出装置１５４を玉払出装置取付部１５４ａに取り付けていないときには、図８（ａ）に示すようにストッパー部材１５９ｂのストッパー片がバネの弾性力により挿通穴１５６ｅに挿入し、流下する玉をストップさせる状態になる。すなわち、玉払出装置１５４の玉供給通路に玉を供給しない状態になる。
【０１１０】
図８（ｂ）は、玉払出装置１５４を玉払出装置取付部１５４ａに取り付けているときの状態を説明するためのＢ−Ｂでの概略断面図である。玉払出装置１５４を玉払出装置取付部１５４ａに取り付けているときには、図８（ｂ）に示すように玉払出装置１５４の仕切板７２に設けられている突起部７２ａに玉ストッパー部材１５９ｂの当接部が接し、バネの弾性力に反して上方に押し上げられることにより、一体に形成されている玉ストッパー部材１５９ｂのストッパー片が挿通穴から退避して、玉通路１８８，１８９を玉が流下できる状態になる。すなわち、玉払出装置１５４の玉供給通路に玉を供給できる状態になる。
【０１１１】
このような玉ストッパー部材１５９を玉通路カバー部材１５６の下流に取り付けたことにより、玉払出装置１５４を玉払出装置取付部１５４ａから取り外したときであっても、挿通穴１５６ｅより上流に位置する玉が零れ出ることがない。このため、たとえば、玉払出装置１５４を交換する場合に、玉抜き操作を行ない賞球タンク１４７や玉整列レール部材１４８に貯留されている玉を全て抜きとる手間を省くことができる。
【０１１２】
一方、玉払出装置１５４を玉払出装置取付部１５４ａに取り付けたときには、玉ストッパー部材１５９ｂのストッパー片が挿通穴から退避して玉通路１８８，１８９を玉が流下できる状態になるとともに、玉ストッパー部材１５９と仕切板７２の突起部７２ａとが接するため、仕切板７２と玉ストッパー部材１５９とを電気的に導通させることができる。
【０１１３】
図９は、機構板１４０に取り付けられている補強ヒンジ部材１７６、賞球タンク１４７、玉整列レール部材１４８、玉通路カバー部材１５６、玉ストッパー部材１５９、および、仕切板７２の結線図である。
【０１１４】
仕切板７２は、カーボンを８重量％含有したＡＢＳ樹脂から形成されている。玉払出装置１５４を玉払出装置取付部１５４ａに取り付けたとき、図８（ｂ）で示したように、仕切板７２は、突起部７２ａとストッパー部材１５９ｂとが直接接触することにより、玉ストッパー部材１５９と電気的に接続される。
【０１１５】
玉ストッパー部材１５９は、ステンレス鋼により形成されている。玉ストッパー部材１５９は、玉通路カバー部材１５６の下部に取付ネジ１５９ａによって取り付けられるため、玉通路カバー部材１５６と電気的に接続される。
【０１１６】
玉通路カバー部材１５６は、カーボンを８重量％含有したＡＢＳ樹脂により形成されている。玉通路カバー部材１５６は、取付片１５６ｃと取付片１４８ｄとが直接接触することにより、玉整列レール部材１４８と電気的に接続される。
【０１１７】
玉整列レール部材１４８は、カーボンを８重量％含有したＡＢＳ樹脂により形成されている。玉整列レール部材１４８は、接続孔１４８ｂと取付片１４７ａとが直接接触することにより、賞球タンク１４７と電気的に接続される。
【０１１８】
賞球タンク１４７は、前述したように補強ヒンジ部材１７６と配線接続されており接地されている。
【０１１９】
したがって、補強ヒンジ部材１７６、賞球タンク１４７、玉整列レール部材１４８、玉通路カバー部材１５６、玉ストッパー部材１５９、および、仕切板７２の電位は、すべて同じとなり、接地レベルである。これにより、賞球タンク１４７、玉整列レール部材１４８、玉通路カバー部材１５６、および、仕切板７２に接する玉の帯電を防止することができる。
【０１２０】
図９に明示されているように、金属製の玉と接触可能な位置（上記の例では、賞球タンク１４７、玉整列レール部材１４８、玉通路カバー部材１５６、仕切板７２）に導電性のＡＢＳ樹脂が用いられ、間接的に接地されている。従来の静電気ノイズ対策として、玉と接触する位置に金属製のアース板を設ける方法があったが、そのような方法によると、帯電した玉がアース板と接触する際に急激に放電して、遊技機に設置されている制御基板内の電子回路に対して静電気ノイズとしての電磁妨害を与える可能性があった。しかし、上記の実施の形態のように、玉と接触可能な位置に導電性のＡＢＳ樹脂を配置するように構成すれば、急激な放電の発生が緩和され、制御基板内の電子回路に対して電磁妨害を与える可能性がなくなる。例えば、カーボン含有合成樹脂の比抵抗は１０５〜１０７Ω・ｃｍ程度と金属に比べて大きいので、急激な放電が発生することはない。
【０１２１】
次に、前面枠３の構成および該前面枠３に取り付けられる各種構成部材について、図１０、図１１、図１２を参照して説明する。図１０は、前面枠３の正面からの分解斜視図であり、図１１は、前面枠３の背面からの分解斜視図であり、図１２は、打球発射装置１３０の斜視図である。
【０１２２】
前面枠３は、合成樹脂によって一体成型されるものであり、図１０に示すように、上部の前面扉枠４に対応する透明板保持枠対応板部３００と、下皿２７、灰皿ユニット２９、および操作ハンドル３０に対応する下皿対応板部３０１と、から構成されている。透明板保持枠対応板部３００と下皿対応板部３０１とは、僅かな段差をもって形成されており、また、透明板保持枠対応板部３００のほぼ中央には、遊技盤４０の遊技領域４１が臨む開口３０２が開設されている。
【０１２３】
開口３０２は、ほぼ円形に形成されるが、その下部一側には、遊技盤４０の下部側方に貼付される各種団体の証明用の証紙が臨むための証紙用開口３０３となっている。また、透明板保持枠対応板部３００の左上方には、スピーカ１２ａを取り付けるためのスピーカ取付部２４８ａが、透明板保持枠対応板部３００の右上方には、スピーカ１２ｂを取り付けるためのスピーカ取付部２４８ｂが形成されており、このスピーカ取付部２４８ａ，２４８ｂの中央には、前面枠３の表面から裏面に向かって凹状のスピーカ開口が形成されており、表面側から取付ネジ２０９によってスピーカ１２ａ，１２ｂが取り付けられるようになっている。
【０１２４】
前面枠３の表面側のスピーカ取付部２４８ａの下方には、賞球ＬＥＤ１０が実装された賞球ＬＥＤ基板１９８が取り付けられる賞球ＬＥＤ基板取付部２１９が設けられている。賞球ＬＥＤ基板１９８は、賞球基板カバー２１９ａの筒部に賞球ＬＥＤ１０が合致するように組み合わせて、取付ネジ１９８ａにより賞球ＬＥＤ基板取付部２１９に取り付けられる。なお、賞球基板カバー２１９ａには、突設した取付ボスが形成されており、配線を押えるための配線押え２１９ｂが取付ネジ２１９ｃによって取り付けられている。
【０１２５】
また、前面枠３の表面側のスピーカ取付部２４８ｂの下方には、球切れＬＥＤ９が実装された球切れＬＥＤ基板１９７が取り付けられる球切れＬＥＤ基板取付部２１８が形成されている。球切れＬＥＤ基板１９７は、球切れ基板カバー２１８ａの筒部に球切れＬＥＤ９が合致するように組み合わせて、取付ネジ１９７ａにより球切れＬＥＤ基板取付部２１８に取り付けられる。
【０１２６】
前板中継基板１００は、スピーカ１２ａの右側方に位置しており、前面枠３の表面側上部に突設された基板取付ボス２４７に対して、取付ネジ１００ａによって取り付けられ、配線押え２５８は、下部右側方に取付ネジ２５８ａによって取り付けられている。
【０１２７】
また、透明板保持枠対応板部３００の一側下方には、枠下部ヒンジ３１８を取り付けるための枠下部ヒンジ取付面３１７が、更に、この枠下部ヒンジ取付面３１７の下方には、下皿枠ヒンジ３２２を取り付けるための下皿枠ヒンジ取付面３２１が形成されている。
【０１２８】
枠下部ヒンジ取付面３１７には、枠下部ヒンジ３１８が取り付けられる他に、枠下部ヒンジ３１８の後面側に枠下部ヒンジ押え３１８ａが取付ネジ３２０によって取り付けられる。下皿枠ヒンジ３２２は、取付ネジ３２４によって下皿枠ヒンジ取付面３２１に取り付けられる。
【０１２９】
枠下部ヒンジ３１８は、Ｌ字形状に折り曲げられて形成され、折り曲げられて形成された水平部分の先端には、軸支ピン３１９が挿通されており、この軸支ピン３１９には、前面扉枠４に備えられた下部ヒンジ金具の軸支穴に挿通されるものである。この軸支ピン３１９と、後述する金属製の枠基体上部ヒンジ３１１に穿設された挿通穴３１２ａとを中心に前面扉枠４が前面枠３に対して開閉自在に軸支される。また、この軸支ピン３１９と、下皿枠ヒンジ３２２に穿設された挿通穴３２２ａとを中心に上皿開閉枠１１が前面枠３に対して開閉自在に軸支される。
【０１３０】
ここで、前面扉枠４および上皿開閉枠１１の裏面の構造について簡単に説明する。前面扉枠４の裏面には、ガタつきを防止するために、前面扉枠４用の補強金具がほぼ全面に取り付けられている。また、前面扉枠４の軸支側の上方には、軸支ピンを備えた上部ヒンジ金具が、下方には挿通穴が穿設された下部ヒンジ金具が、各々取り付けられている。上部ヒンジ金具は、前面扉枠４用の補強金具を介して、下部ヒンジ金具と電気的に接続される。
【０１３１】
上皿開閉枠１１の裏面にも、同様に、ガタつきを防止するために、上皿開閉枠１１用の補強金具がほぼ全面に取り付けられている。また、上皿開閉枠１１用の補強金具の後面側には、当該上皿開閉枠１１を閉じたときに後述する発射レール３４５と接触する発射レール接触部材が取り付けられている。また、上皿開閉枠１１用の補強金具には、上皿１９に貯留されている玉と接触する上皿金具と電気的に接続されている。さらに、上皿開閉枠１１用の補強金具は、前面扉枠４用の補強金具と係合するように形成されており、前面扉枠４を閉じると前面扉枠４用の補強金具と接触するように構成されている。これにより、前面扉枠４を前面枠３に対して閉じた状態においては、前面扉枠４の上部ヒンジ金具は、さらに、前面扉枠４用の補強金具および上皿開閉枠１１用の補強金具を介して、発射レール３４５および上皿金具と、電気的に接続される。
【０１３２】
一方、透明板保持枠対応板部３００の下辺を除く外周には、防犯溝４８７が刻設されている。この防犯溝４８７は、前面扉枠４の補強防犯金具の防犯立片が挿入されるものであり、前面扉枠４を閉じたときに、防犯立片を防犯溝４８７に侵入せしめることにより、前面扉枠４と前面枠３との境目からピアノ線等の細い針金を差し込む不正を防止することができるものである。
【０１３３】
また、開放側の防犯溝４８７に隣接する上下部には、フック連通穴（図示しない）が形成されている。フック連通穴は、後述する施錠装置１２８の開閉枠用フック部が貫通するものであり、フック連通穴から前方に突出した開閉枠用フック部が前面扉枠４の後述する係合片と係脱し得るものである。
【０１３４】
また、開放側の透明板保持枠対応板部３００の下方は、シリンダー錠装飾部材３２が取り付けられる装飾部材取付面７５７が形成されている。装飾部材取付面７５７には、シリンダー錠装飾部材３２を取り付けるための取付ネジ３５６が挿通される取付穴３５５が形成され、上方の取付穴３５５の右方には、シリンダー錠２６が挿通されるシリンダー錠穴７５８が穿設されている。また、装飾部材取付面７５７に取り付けられるシリンダー錠装飾部材３２にもシリンダー錠穴３５４が穿設されている。
【０１３５】
ところで、上記透明板保持枠対応板部３００の奥側の部分には、凹んだ状態の板状の支持板部３２６が形成されており、その支持板部３２６の一側上部に上皿流出用開口３２５が形成され、該上皿流出用開口３２５の下部前方に誘導ボックス部材３４２が取着されている。
【０１３６】
また、上皿流出用開口３２５の上部には、防犯用リブ３２９ａが立設され、さらに、防犯用リブ３２９ａの手前に防犯カバー３２９ｂが取付ビス３２９ｃにより取り付けられる。この防犯用リブ３２９ａおよび防犯カバー３２９ｂによって囲まれた空間には、前面扉枠４が閉じた状態で前面扉枠４の賞球払出口２０の裏面に止着される賞球接続樋２５３の後端部が侵入し得るようになっており、賞球接続樋の後端と上皿流出用開口３２５との間からピアノ線等の不正具を挿入させないようにしている。なお、上皿流出用開口３２５の後端上面には、後方に伸びる突出片部３３１が突設され、この突出片部３３１が機構板１４０の前記上皿連通口７１３内に侵入して、賞球払出口２０から侵入せしめられるピアノ線等の不正具が前面枠３と機構板１４０との隙間から侵入しないように防止している。
【０１３７】
一方、上皿流出用開口３２５の反対側の支持板部３２６の上部にも防犯用リブ３２９ａが前方に向かって延設されている。この防犯用リブ３２９ａも前面扉枠４と前面枠３の側部からの不正具の侵入を阻止するためのものである。
【０１３８】
前面枠３の左側に立設された防犯用リブ３２９ａの上部には、遊技盤４０を前面枠３に取り付けたときに、当該遊技盤４０に取り付けられている誘導レール４２ａと接するレール接続部材３２７ａを取り付けるための取付孔３２３ａが穿設されている。レール接続部材３２７ａは、細長いステンレス鋼板をＬ字型にしその両先端を互いに同じ向きに折り返して形成されている。そして、レール接続部材３２７ａは、Ｌ字の内側に折り返された側を取付孔３２３ａに挿入して取り付けられる（図１３参照）。
【０１３９】
前面枠３の右側に立設された防犯用リブ３２９ａの上部にも、同様に、遊技盤４０を前面枠３に取り付けたときに、当該遊技盤４０に取り付けられている誘導レール４２ｂと接するレール接続部材３２７ｂを取り付けるための取付孔３２３ｂが穿設されている。レール接続部材３２７ｂは、細長いステンレス鋼板をＬ字型にしその両先端を互いに同じ向きに折り返して形成されている。そして、レール接続部材３２７ｂは、Ｌ字の内側に折り返された側を取付孔３２３ｂに挿入して取り付けられる（図１３参照）。
【０１４０】
また、支持板部３２６の前面には、誘導ボックス部材３４２および発射レール３４５がそれぞれ支持板部３２６に穿設された各取付穴３３６ａ，３３６ｂに取付ネジ３４４，３５１で取り付けられている。発射レール３４５は、前記上皿１９から供給された打玉であって玉送り部材から１個ずつ供給される打球をその下流端の発射位置に載置し、打球発射装置１３０の打球槌６００によって打ち出された打玉を遊技盤４０の誘導レール４２ａに導くものである。なお、発射レール３４５の上流端と遊技盤４０の誘導レール４２ａの下流端との間は、ファウル球口３９９となっており、遊技領域４１に到達することなく誘導レール４２を逆走した打玉が誘導ボックス部材３４２に導かれるようになっている。
【０１４１】
上記した発射レール３４５は、玉の発射位置を形成するレール部材３４６と、上皿１９から供給された玉を発射位置に誘導する誘導片３４７と、が取付基板３４８に取り付けられて構成されている。取付基板３４８には、レール部材３４６をビス止めするための取付ボスと、誘導片３４７をビス止めするための取付穴（いずれも図示しない）と、取付基板３４８を前記支持板部３２６に取付ネジ３５１止めするための取付穴３５０と、が形成されている。レール部材３４６は、くノ字状に折曲形成されたステンレス鋼（ＳＵＳ３０４ＢＡ、ＳＵＳ３０１、３／４Ｈなど）からなる。また、レール部材３４６のくノ字状の折曲部分には、打球発射装置１３０の打球槌６００を挿通するための挿通穴（図示しない）が穿設され、その部分が球の発射位置を形成するようになっている。なお、ステンレス鋼からなるレール部材３４６の肉厚を薄くしてその表面に硬質クロムメッキの処理を施すようにしてもよい。こうした場合には、材料（ステンレス鋼）を薄くすることができ、コストダウンが招来できる。一方、誘導片３４７は、合成樹脂で形成されており、これによって供給時の球の衝撃を和らげて球を発射位置に安定させるようになっている。
【０１４２】
また、誘導ボックス部材３４２は、前面扉枠４を開放したときに前記上皿流出用開口３２５から溢れ落ちる賞球が受け入れられる溢れ球入口３９７と、前記ファウル球口３９９と、上皿１９から玉抜きされた球を受け入れる抜き玉流入口３９８と、を有し、それぞれの入口から流入してきた球を支持板部３２６に形成される排出口３３５に取り込み、前面枠３の裏面下部に止着される接続樋３９２を介して下皿２７に誘導するものである。なお、誘導ボックス部材３４２の上辺一側には、発射球誘導板３４３が突設され、遊技盤４０の誘導レール４２下流端を走行する打球が複層ガラス板に衝突しないように案内している。
【０１４３】
また、支持板部３２６には、上記した誘導ボックス部材３４２の側方に配線通し開口３３２が開設されている。この配線通し開口３３２には、上皿１９内に設けられる残高表示基板１０４に実装される電気部品等からの配線、および前面扉枠４に設けられる電気部品（スピーカ１２ａ，１２ｂなど）からの配線をまとめて前面枠３の裏側に導くものである。
【０１４４】
また、支持板部３２６の右側方には、上皿ロック板３５２が取付ネジ３５３によって取り付けられている。この上皿ロック板３５２は、上皿開閉枠１１を閉塞した際に、上皿ロックの係止片が係止されるものである。
【０１４５】
また、支持板部３２６の上端辺は、遊技盤４０を載置し得るように遊技盤４０とほぼ同じ幅を有するように形成されるが、そのほぼ中央には、アウト球連通口３３３が形成されている。
【０１４６】
前面枠３の透明板保持枠対応板部３００の構造は、概ね上記した通りであるが、下皿対応板部３０１においては、そのほぼ中央に余剰球排出口３３８が開設され、軸支側に灰皿用凹部３３７が形成されている。余剰球排出口３３８は、下皿２７に余剰の賞球を払い出すための開口であり、灰皿用凹部３３７は、灰皿ユニット２９の回動動作が行なえるようにするためのものである。なお、下皿対応板部３０１には、下皿を取り付けるための下皿取付穴３３９も多数形成されている。
【０１４７】
一方、前面枠３の裏面構造においては、図１１に示すように、遊技盤収納枠部３９３が合成樹脂によって一体的に成型されている。しかして、遊技盤収納枠部３９３は、遊技盤４０を内側に収納支持し且つ固定するものであるため、遊技盤４０を支持する構造および遊技盤４０を正確に固定するための部品を有する。また、遊技盤収納枠部３９３は、遊技盤４０の裏面に設けられて所定個数の景品球を払い出すための各種の機構が設けられる機構板１４０を正確に取り付けるための部品も有する。
【０１４８】
前面枠３の裏面の一側上方には、枠基体上部ヒンジ３１１を取り付けるための枠上部ヒンジ取付面３０５が形成されている。枠基体上部ヒンジ３１１は、前面枠３の裏面側から枠上部ヒンジ取付面３０５に取付ネジ３１３で螺着することにより取り付ける。
【０１４９】
枠基体上部ヒンジ３１１は、コの字形状に折り曲げられて形成され、折り曲げられて形成された上側の水平部分の先端には挿通穴３１２が穿設されており、この挿通穴３１２には、外枠２の上部ヒンジ金具の軸支ピンが挿通されるものである。また、下側の水平部分の先端には挿通穴３１２ａが穿設されており、この挿通穴３１２ａには、前面扉枠４の上部ヒンジ金具の軸支ピンが挿通されるものである。
【０１５０】
また、前面枠３の裏面の一側下端には、取付ボス３７０に対し取付ネジ３７９によって枠基体下部ヒンジ３７７が取り付けられている。この枠基体下部ヒンジ３７７は、上記した枠基体上部ヒンジ３１１と共に、前面枠３を外枠２に対して開閉自在に軸支するためのものである。枠基体上部ヒンジ３１１の上面および枠基体下部ヒンジ３７７の下面が前方に突出していてその突出部に挿通穴３１２，３７８がそれぞれ形成され、その挿通穴３１２，３７８に外枠２に固着される軸支金具の軸支ピンが貫通して前面枠３が外枠２に開閉自在に軸支されるものである。
【０１５１】
また、遊技盤収納枠部３９３の一側上下には、機構板１４０を開閉自在に軸支するためのプラ枠ヒンジ金具３１４が取付ボス３６９に取付ネジ３１６で強固に止着されている。なお、上方のプラ枠ヒンジ金具３１４は、補強金具接続部材３１４ａの上から取付ネジ３１６により共締めされる。補強金具接続部材３１４ａは、細長いステンレス鋼板をＬ字型にし一方の先端を外側に折り返して形成されている。
【０１５２】
また、前面枠３の裏面の軸支側には、ガタつきを防止するために、プラ枠補強金具３７１ａ，３７１ｂが取付ネジ３７２ａ，３７２ｂで止着されるようになっている。プラ枠補強金具３７１ａは、その上方が枠基体上部ヒンジ３１１と接触するように、枠基体上部ヒンジ３１１の上から取付ネジ３７２ａで止着される。さらにプラ枠補強金具３７１ａは、取付孔３２３ａの裏側から突出しているレール接続部材３２７ａ、および、補強金具接続部材３１４ａと接触するように、取り付けられている（図１３参照）。これにより、上方のプラ枠ヒンジ金具３１４は、補強金具接続部材３１４ａを介して、プラ枠補強金具３７１ａと電気的に接続される。
【０１５３】
前面枠３の裏面の開放側には、施錠装置１２８が取付ネジ３９１で取付ボス３６３に固着される。また、下方には、打球発射装置１３０を取り付けたときに当該打球発射装置１３０と接する発射装置接触部材３７３を取り付けるための取付部３７４が形成されている。発射装置接触部材３７３は、細長いステンレス鋼板の両先端を互いに折り返して形成されている。そして、発射装置接触部材３７３は、取付部３７４に取り付けられる。施錠装置１２８は、取付孔３２３ｂの裏側から突出しているレール接続部材３２７ｂ、および、発射装置接触部材３７３と接触するように、取り付けられている。これにより、レール接続部材３２７ｂは、施錠装置１２８を介して、発射装置接触部材３７３と電気的に接続される。
【０１５４】
なお、上記した施錠装置１２８は、従来から使用されているもので、シリンダー錠２６を一方向に回動させることにより、前面枠用フック３８９を上動せしめて外枠２の側板内側上下に止着される掛止片との係合を解除して前面枠３を外枠２から開放でき、シリンダー錠２６を他方向に回動させることにより、開閉枠用フック部３８２を下動せしめて前面扉枠４の裏面開放側上下に取り付けられる係合片との係合を解除して前面扉枠４を前面枠３から開放することができるものである。なお、施錠装置１２８には、外枠２に対して前面枠３を開放した状態で開閉枠用フック部の係合を解除するためのガラス枠開放レバー３９０がその中程に設けられている。
【０１５５】
遊技盤収納構造においては、遊技盤４０の下部は、前記支持板部３２６の上面に載置されると共に位置決め突起３５８によって位置決めされ、左右を遊技盤収納枠部３９３および内側当接段部７５２（リブ）とによって規制されることによって当接位置決めすることにより遊技盤４０を正確な位置に収納されるようになっている。なお、上部位置には、外枠当接リブ３６２が突設されているが、この外枠当接リブ３６２は、外枠２と前面枠３の内側との間隔を狭くして、前面枠３の上動範囲を小さくするものであり、これによって前面枠３を外枠２に対して閉じたときにガタ付きのないようしている。
【０１５６】
また、遊技盤４０を固定するための部品として複数（４個）の遊技盤係止レバー３６６，７５３がある。遊技盤係止レバー３６６は、遊技盤４０を遊技盤収納枠部３９３に隣接した位置に形成されるレバー取付穴３６０に装着した状態で回動することにより遊技盤４０の裏面から押圧して遊技盤４０を遊技盤収納枠部３９３内に堅固に収納支持固定するものである。一方、遊技盤係止レバー７５３は、前記支持板部３２６の押え部材取付凹部３５７に突設される取付ボス３３４に取付ネジ３６７で固着されるものである。押え部材取付凹部３５７には、遊技盤４０の裏面下部を遊技盤収納枠部３９３に収納して支持板部３２６の上辺に載置した際に押圧固定するための遊技盤係止レバー３６６を取り付ける取付ボス３３４が突設形成されている。
【０１５７】
また、機構板１４０を取り付けるための部品として複数（３個）の機構板固定用突起３６４がある。しかして、１つの機構板固定用突起３６４は、前記支持板部３２６の裏面を被覆する閉塞板３８６の左側方上部であって前面枠３の開放側に取付ネジ３６５で着脱自在に取り付けられるものである。また、他の２つの機構板固定用突起３６４は、開放側の上部と軸支側の上辺とに取付ネジ３６５で着脱自在に取り付けられる。
【０１５８】
開放側の上部の機構板固定用突起３６４の右側方には、前面枠３および前面扉枠４の開閉状態に応じて第１ドア開放スイッチ１１１を検出させるための第１ドア開放スイッチ検出機構が設けられている。
【０１５９】
第１ドア開放スイッチ検出機構は、前面枠３を前後方向に貫通した貫通孔３７６と、貫通孔３７６に組み合わせて挿入可能なバネ３８０およびスイッチ棒部材３７５と、カバー部材３８１とから構成されている。スイッチ棒部材３７５には、バネ３８０が通り抜けないようにするためのバネ止め部が形成されている。カバー部材３８１の中央には、スイッチ棒部材３７５が挿入可能な穴が形成されている。
【０１６０】
第１ドア開放スイッチ検出機構は、貫通孔３７６に、バネ３８０、スイッチ棒部材３７５の順に挿入されて構成される。そして、スイッチ棒部材３７５をカバー部材３８１に形成された穴から突出させて取付ビス３８４により止着される。スイッチ棒部材３７５は、前面枠３に対して機構板１４０が固定され前面枠３に対して前面扉枠４が開状態であるときに前面側に突出するように、また、前面枠３に対して前面扉枠４が閉状態であるときに後面側に突出するように、構成されている。このように構成することにより、前面枠３に対して機構板１４０が固定されているときであっても、前面扉枠４が開状態であるときには、第１ドア開放スイッチ１１１がオン状態とならない。また、前面枠３に対して前面扉枠４が閉状態であるときであっても、機構板１４０が前面枠３に対して固定されていないときには、第１ドア開放スイッチ１１１がオン状態とならない。すなわち、前面枠３に対して前面扉枠４が閉状態であり、かつ、機構板１４０が前面枠３に対して固定されているときにのみ、第１ドア開放スイッチ１１１がオン状態となるように構成されている。
【０１６１】
なお、アウト球連絡通路３５９の右側方には、枠基体玉抜き通路３９４が形成されている。枠基体玉抜き通路３９４は、その上部が機構板１４０の玉抜き通路に連通されると共に、その下部は、閉塞板３８６に形成されるアウト球出口３８８に連通している。
【０１６２】
閉塞板３８６は、取付穴３８７に係止片３６８を係止することにより止着される。前記アウト球誘導リブが形成される部分に対応する閉塞板３８６には、アウト球出口３８８が形成されている。また、閉塞板３８６の右側方には、前記枠基体玉抜き通路３９４と対応する部分に通路カバー部３９５が突出して形成されており、通路カバー部３９５の下方には、アウト球出口３８８に連通するように形成されている。
【０１６３】
前面枠３の裏面構造において、上記した以外の構成として、下皿対応板部３０１の裏面に接続樋３９２（図２参照）、打球発射装置１３０、プラ枠中継基板取付ボックス３８３が固着又は装着されている。
【０１６４】
また、接続樋３９２は、機構板１４０の余剰玉通路７１１の下流端に臨む賞球受開口（図示しない）と、前記誘導ボックス部材３４２に誘導された球が排出される排出口７５６の裏側を覆う誘導樋部（図示しない）とが前後方向に重複状に設けられて構成されるものである。そして、余剰玉通路７１１に流出した余剰の賞球、および誘導ボックス部材３４２に受け入れられた溢れ球、ファール球、玉抜き球を下皿２７に誘導するものである。また、プラ枠中継基板取付ボックス３８３は、プラ枠中継基板１０８を収容し、取付ビス３８３ａにより止着されている。
【０１６５】
次に、操作ハンドル３０が操作されたときに駆動する打球発射装置１３０について図１２を参照して説明する。図１２（ａ）は、打球発射装置１３０の斜視図であり、図１２（ｂ）は、打球発射装置１３０の正面からの分解斜視図であり、図１２（ｃ）は、打球発射装置１３０の背面からの分解斜視図である。
【０１６６】
打球発射装置１３０は、図１２に示すように、パチンコ玉を打撃して発射する打球槌６００と、該打球槌６００の駆動源をなすステッピングモータ（発射装置電動機）６０１を取り付けるためのコの字状に形成された取付台６０１ａと、パチンコ玉の発射毎に玉送り部材の揺動部材を揺動させて順次パチンコ玉を打球発射装置１３０に送り込ませる玉送りカム６０２と、打球槌６００によるパチンコ玉の打球力を調整する発射強度調整部６０３と、該発射強度調整部６０３に前記操作ハンドル３０の回転操作力を伝達する操作伝達部６０４と、が金属製の取付基板６０６に取り付けられて構成されている。なお、取付台６０１ａには、前述した発射モータ６０１と、発射モータ６０１の駆動を制御する発射制御部６０５（発射制御基板１０７とこれを収容する基板ボックス６４０とから構成される）と、が取り付けられて構成されている。
【０１６７】
取付基板６０６の周縁部には、打球発射装置１３０を前面枠３の裏面側に取付ネジで取り付けるためのネジ止め穴６０７が４箇所に穿設されている。また、取付基板６０６には、各種構成部材を取り付けるための取付穴が複数穿設されると共に、発射強度調整部６０３を構成する各種部材を取り付けるための円筒突起（図示しない）が形成されている。該円筒突起の内部は、取付基板６０６の一側面と他側面の両側を連通する連通穴として形成され、該連通穴を貫通する駆動軸６０９が軸受けにより回転自在に支持されている。また、取付基板６０６の後面側には、取付台６０１ａを取り付けるための取付ボス６０６ａが立設されている。
【０１６８】
打球槌６００は、アーム形状をなし、その一端には、パチンコ玉を打撃する槌部がスプリング６１１によって形成されている。そして、打球槌６００は、その軸穴６００ａに駆動軸６０９の一端部が挿通された状態でワッシャ６５１を介してナット６０８によって固着されることにより、駆動軸６０９を回動中心として回動自在に取付基板６０６に取り付けられる。また、このような打球槌６００の取り付けにおいて、先端部分に回動自在なアームローラ６１２ａを取り付けたヒットアーム６１２が打球槌６００と共に駆動軸６０９に固着され、そのヒットアーム６１２が打球槌６００と一体的に駆動軸６０９を回動中心として回動するようになっている。なお、打球槌６００の回転は、杵受ゴム６１３ａ，６１３ｂによって規制されるようになっている。該杵受ゴム６１３ａは、ゴムホルダー６１４ａを介して取付基板６０６にボルト６１５ａおよびナット６５３ａで固着されている。また、該杵受ゴム６１３ｂは、ゴムホルダー６１４ｂを介して取付基板６０６にボルト６１５ｂおよびナット６５３ｂで固着されている。
【０１６９】
発射モータ６０１は、取付片部６１６を取付台６０１ａに取付ネジ６１７止めすることで、出力軸が取付台６０１ａを貫通した状態で取付台６０１ａに取り付けられる。出力軸には、発射モータ６０１の駆動力をヒットアーム６１２（アームローラ６１２ａ）を介して打球槌６００に伝達する駆動カム（図示しない）が一体的に取り付けられている。
【０１７０】
昇降杵６０２は、取付基板６０６の中央上部に設けられた取付穴に対し、ワッシャ６１９を介して、取付ネジ６２３で一端部を螺着することによって、他端部が回転自在に取り付けられる。回転自在の昇降杵６０２の端部は、後述する保持キャップ６２７の突起部６０３ａ上面に載置される。そして、回転自在の昇降杵６０２の端部は、打球槌６００が図１２（ａ）中における時計方向に回転した場合、後述する保持キャップ６２７の突起部６０３ａにより押し上げられ、玉送り部材の揺動部材を作動させる。これにより、玉を、上皿１９から発射レール３４５上に送り込むことができる。なお、回転自在の昇降杵６０２の端部が最上部に上がった状態が打球槌６００による球の打ち込み待機状態となる。つまり、回転自在の昇降杵６０２の端部が一旦上昇してから下降することで球が発射レール３４５上に供給されると共に、打球槌６００が発射方向と反対方向に回動した状態から発射方向に回動することで、発射レール３４５上の球が発射され、誘導レール４２に沿って遊技盤４０の遊技領域に打ち込まれるわけである。
【０１７１】
発射強度調整部６０３は、外周の一部にギア部６２５ａが形成された回動リング６２５、ねじれ量によって打球の発射強度を調整するコイル状の強度調整バネ６２６、突起部６２７ａを有する保持キャップ６２７、ラチェットカバー６２８、ラチェットアーム（図示しない）、等から構成されている。回動リング６２５には、強度調整バネ６２６の端部が係止される強度調整溝６３９が複数箇所形成されており、強度調整バネ６２６の端部をいずれの強度調整溝６３９にするかによって杵の戻る力が変化し、これにより打球の発射強度を調整することができる。回動リング６２５のギア部６２５ａの端には、取付基板６０６に突設された規制突起６３０が当接され、これによって回動リング６２５の回転が規制されるようになっている。また、保持キャップ６２７およびラチェットカバー６２８は、ワンウェイネジ６３１によって一体的に組み付けられると共に、駆動軸６０９の回動に合わせて一体的に回動するようになっている。すなわち、打球槌６００が図１２（ａ）中における時計方向に回転した場合、駆動軸６０９も時計方向に回転する。これにより、保持キャップ６２７の突起部６０３ａ上面に載置される回転自在の昇降杵６０２の端部は、保持キャップ６２７の突起部６０３ａにより押し上げられる。なお、ワンウェイネジ６３１は、ネジ締め方向にしか回らない特殊なネジであり、一旦締め付けると取り外すことができないようになっている。
【０１７２】
また、ラチェットカバー６２８には、エンドキャップ（図示しない）が嵌合して取り付けられ、そのエンドキャップによって発射強度調整部６０３の内部空間（ラチェットアームの操作溝（発射強度を調整するための溝）が収容される空間）が封止状態に被覆されるようになっている。このため、エンドキャップやラチェットカバー６２８を破壊してラチェットカバー６２８からエンドキャップを取り外さない限り、発射強度調整部６０３の内部空間は開放できないようになっている。つまり、発射強度を調整すべく、操作溝によって回動操作できないようになっている。また、エンドキャップは、不透明な黒色の合成樹脂からなり、エンドキャップをラチェットカバー６２８に取り付けた状態では、発射強度調整部６０３の内部空間が外部から視認できないようになっている。つまり、操作溝が視認できないようになる。このため、発射強度調整部６０３の操作部（操作溝）が覆われていることが分らなくなるので、発射強度調整部６０３の操作部を不正に操作しようと試みたときにはその不正を行ない難くすることができる。
【０１７３】
操作伝達部６０４は、外周の一部にギア部６３５ａが形成された回動リング６３５、バネ６３４等から構成されている。回動リング６３５には、バネ６３４の端部が係止される溝６３３が形成されている。回動リング６３５は、取付ネジ６５８止めすることで、ギア部６３５ａが発射強度調整部６０３のギア部６２５ａと歯合するように、取付基板６０６に取り付けられる。バネ６３４は、一端部が回動リング６３５の溝６３３に係止され、他端部が取付基板６０６に立設されているバネ止め部材６５７に係止される。さらに、回動リング６３５は、前記操作ハンドル３０の回転軸に一体的に取り付けられる。これにより、発射ハンドル３０を回動操作させれば、その回動が回動リング６３５を介して回動リング６２５に伝達され、回動リング６２５を回動変位させることができる。そして、このように回動変位した回動リング６２５は、その回動によって強度調整バネ６２６のねじれ量を調節する。
【０１７４】
発射制御部６０５は、各種電子部品（ＣＰＵを搭載するものでも、搭載しないものでもよい）および複数のコネクタ（図示しない）を実装してなる発射制御基板１０７、該発射制御基板１０７を収容する基板ボックス６４０、から構成されている。複数のコネクタには、プラ枠中継基板１０８からの配線、発射モータ６０１からの配線、単発発射スイッチ１０７からの配線、操作ハンドル３０のタッチリング１１０からのスイッチ配線等が接続される。
【０１７５】
上記した発射制御基板１０７を収容する基板ボックス６４０は、図１２に示すように、前記取付基板６０６に取付ネジ６３８止めされるボックス主体６４１と、該ボックス主体６４１に取り付けられてボックス主体６４１との間で発射制御基板１０７を挟持するカバー体６４２と、を備えている。ボックス主体６４１およびカバー体６４２は、それぞれ収容する発射制御基板１０７を外部から視認可能なように透明な合成樹脂で形成されている。ボックス主体６４１の上端右方および下端左右２箇所には、それぞれ脚部６４３が立設されており、該脚部６４３の先端部分には、ボックス主体６４１を取付台６０１ａに取付ネジ６３８止めするための取付穴６４４が穿設されている。なお、取付台６０１ａ側には、これらの取付穴６４４と個々に対応した位置に取付穴が穿設されている。また、脚部６４３はそれぞれ円筒形状をなし、その円筒内に取付ネジ６３８を挿入することで、ボックス主体６４１側から取付基板６０６に取付ネジ６３８止めを行なうようになっている。このため、本実施形態のように取付面部を打球発射装置１３０の取付台６０１ａから構成するような場合でも、取付台６０１ａを弾球遊技機１から取り外すことなく、基板ボックス６４０の取り外しを行なうことができる。
【０１７６】
そして、ボックス主体６４１（基板ボックス６４０）は、前記発射モータ６０１を取り付けた取付台６０１ａの一側面に脚部６４３を介して取り付け固定される。このため、基板ボックス６４０内に収容される発射制御基板１０７は、取付台６０１ａの基板面（取付面）から所定の間隔（脚部６４３の高さ）を置いた状態（浮いた状態）で取り付けられることになる。従って、発射モータ６０１周りの空気の流動性が向上でき、発射モータ６０１の発熱が低減できると共に、発射モータ６０１からのノイズや熱による悪影響を発射制御基板１０７が受け難くすることができる。また、このような取り付け構造によれば、取付台６０１ａにそのまま発射制御基板１０７の大きさの取付スペースを設ける必要がないので、発射制御基板１０７の配置設計において省スペース化を招来することができる。なお、基板ボックス６４０を取り付ける取付面部は、打球発射装置の取付台および取付基板に限定せず、打球発射装置に関わらない弾球遊技機の裏面部分であってもよい。なお、本実施の形態における発射モータ６０１の天板に放熱シート６０１ａが貼付され、さらに、その上から発射モータ放熱カバー６０１ｂが取り付けられる。従って、発射モータ６０１が駆動することにより発生する熱を効率的に放熱することができるように構成されている。
【０１７７】
以上、打球発射装置１３０の構成について説明したが、打球発射装置１３０による打球の発射動作は以下に示すように行なわれる。即ち、遊技者が操作ハンドル３０を操作するとこれに伴って発射モータ６０１が駆動し、駆動カムが回転する。次に、駆動カムの回転によってヒットアーム６１２並びに打球槌６００が回転し、発射強度調整部６０３の強度調整バネ６２６をさらにねじれ変化させることになる。その後、駆動カムがさらに回転して駆動カムがヒットアーム６１２（アームローラ６１２ａ）から離脱すると、ヒットアーム６１２並びに打球槌６００は、強度調整バネ６２６の復原力によって駆動軸６０９と共に反時計方向に回転する。そして、反時計方向に回転した打球槌６００は、昇降杵６０２の作動によって玉送り部材の揺動部材から送り込まれた球を槌部（スプリング６１１）で打撃して遊技領域に発射させる。また、このとき、発射ハンドル３０の操作によって発射強度調整部６０３の回動リング６２５を回動させれば、打球槌６００の後退駆動（時計方向への回転）に伴う強度調整バネ６２６のねじれ量を調節することができる。つまり、打球槌６００の打撃力（発射力）を調節することができる。
【０１７８】
図１４は、機構板１４０に取り付けられている補強ヒンジ部材１７６、前面枠３に取り付けられている打球発射装置１３０，施錠装置１２８，プラ枠補強金具３７１ａ，プラ枠ヒンジ金具３１４、遊技盤４０に取り付けられている導電性板４０ａ，誘導レール４２ａ，４２ｂ，レール接続部材３２７ａ，障害釘３７等の結線図である。
【０１７９】
まず、打球発射装置１３０は、金属製の取付基板６０６とステンレス鋼板の発射装置接触部材３７３とを介して、金属製の施錠装置１２８と電気的に接続される。施錠装置１２８は、ステンレス鋼板のレール接続部材３２７ｂを介して、ステンレス鋼板の誘導レール４２ｂと電気的に接続される。
【０１８０】
誘導レール４２ｂは、導電性合成樹脂により形成された導電性板４０ａを介して、ステンレス鋼板の誘導レール４２ａおよび遊技領域４１に設けられている障害釘３７や装飾部材６６等の導電性部材と電気的に接続される。誘導レール４２ａは、ステンレス鋼板のレール接続部材３２７ａを介して、プラ枠補強金具３７１ａと電気的に接続される。
【０１８１】
プラ枠補強金具３７１ａは、ステンレス鋼板の補強金具接続部材３１４ａを介して、プラ枠ヒンジ金具３１４と電気的に接続される。プラ枠ヒンジ金具３１４ａは、軸ピン３１５に掛止穴１７７ａ（図５参照）を係止することにより、補強ヒンジ部材１７６と接続されており接地されている。
【０１８２】
したがって、機構板１４０に取り付けられている補強ヒンジ部材１７６、前面枠３に取り付けられている打球発射装置１３０，施錠装置１２８，プラ枠補強金具３７１ａ，プラ枠ヒンジ金具３１４、遊技盤４０に取り付けられている導電性板４０ａ，誘導レール４２ａ，４２ｂ，障害釘３７等の電位は、すべて同じとなり、接地レベルである。
【０１８３】
なお、前面扉枠４および上皿開閉枠１１の裏面の構造について前述したが、前面扉枠４の上部ヒンジ金具は、前面扉枠４用の補強金具を介して、下部ヒンジ金具と電気的に接続される。また、前面扉枠４を前面枠３に対して閉じた状態においては、前面扉枠４の上部ヒンジ金具は、さらに、前面扉枠４用の補強金具および上皿開閉枠１１用の補強金具を介して、発射レール３４５および上皿金具と、電気的に接続される。そして、前面扉枠４の上部ヒンジ金具は、金属製の枠基体上部ヒンジ３１１を介して、プラ枠補強金具３７１ａと電気的に接続される。すなわち、前面扉枠４の上部ヒンジ金具は、補強ヒンジ部材１７６と接続され接地される。これにより、前面扉枠４の上部ヒンジ金具、前面扉枠４用の補強金具、下部ヒンジ金具、上皿開閉枠１１用の補強金具、発射レール３４５、および、上皿金具等の電位は、すべて同じとなり、接地レベルにすることができる。
【０１８４】
以上、弾球遊技機１の構成、遊技盤４０の構成、および機構板１４０の構成について説明してきたが、次に、配線接続される回路構成について、図１５を参照して説明する。図１５は、主基板１２０と各種制御基板および電気部品との関係を示すブロック図である。主基板１２０には、遊技盤４０に設けられる各スイッチ５１，５２，５５ａ，５５ｂ，５６ａ，５６ｂ，６２からの信号がスイッチ中継基板９５を介して入力されると共に始動球検出器６０からの信号も入力され、また、満タンスイッチ１５８および球切れスイッチ１５７からの信号がサンパック中継基板１０１および払出制御基板９８を介して入力される。更に、主基板１２０には、払出中継基板１１３および払出制御基板９８を介して払出個数カウントスイッチ１１６からの信号が入力される。
【０１８５】
上記した入力信号のうち、遊技盤４０に設けられる各スイッチ５１，５２，５５ａ，５５ｂ，５６ａ，５６ｂ，６２からの入力信号に基づいて主基板１２０は、遊技盤４０に設けられるソレノイド５０，５９，６５を駆動制御すると共に、遊技状態に応じた電飾信号および効果音信号を周辺コマンド中継基板５７および演出制御基板９０を介して音声枠ランプ基板９２に出力し、更に、大当り表示制御信号あるいはリーチ表示制御信号又は外れ表示制御信号を図柄中継基板８４および演出制御基板９０に出力し、盤用外部端子板９６に各種の遊技情報を出力する。音声枠ランプ基板９２は、主基板１２０から入力される電飾信号の種類に応じて、枠ランプ中継基板９９および前板中継基板１００を介して、前面扉枠４に取り付けられている遊技効果ＬＥＤおよび遊技効果ランプの点灯制御を行なう。また、音声枠ランプ基板９２は、主基板１２０から入力される効果音信号の種類に応じて、枠ランプ中継基板９９および前板中継基板１００を介して、スピーカ１２ａ，１２ｂを制御する。さらに、音声枠ランプ基板９２は、主基板１２０から入力される電飾信号の種類に応じて、ランプドライバ基板９３およびランプ中継基板９９を介して、遊技盤４０に取り付けられている装飾ランプの点灯制御を行なう。
【０１８６】
特別図柄及び特別図柄記憶基板８５は、主基板１２０から図柄中継基板８４を介して入力される表示制御信号の種類に応じて、特別図柄表示装置４４ａにおける特別図柄の表示制御を行なうとともに、特別図柄始動記憶ＬＥＤ４６の点灯制御を行なう。また、普通図柄基板８６は、主基板１２０から図柄中継基板８４を介して入力される表示制御信号の種類に応じて、普通図柄表示装置６３における普通図柄の表示制御を行なう。普通図柄記憶基板８７は、主基板１２０から図柄中継基板８４を介して入力される表示制御信号の種類に応じて、普通図柄始動記憶ＬＥＤ６４の点灯制御を行なう。演出制御基板９０は、主基板１２０から入力される表示制御信号の種類に応じて、液晶中継基板９１ａ，９１ｂおよびインバータ基板８８を介して、液晶表示装置４４ｂにおける飾り図柄の表示制御を行なう。
【０１８７】
また、満タンスイッチ１５８からの満タン信号に基づいて払出制御基板９８は、払出停止信号を玉払出装置１５４に出力し、払出モータ１１５の駆動を停止させる。また、満タンスイッチ１５８からの満タン信号は、払出制御基板９８を介して主基板１２０に入力される。なお、満タンスイッチ１５８からの満タン信号が主基板１２０に入力されたときには、主基板１２０から音声枠ランプ基板９２に満タン信号を出力して所定のランプ又はＬＥＤを表示駆動してその旨を報知するようにしてもよい。また、満タンスイッチ１５８からの満タン信号を払出制御基板９８に出力するので、例えば、該払出制御基板９８上のエラー表示器等でその旨を報知するようにしてもよい。
【０１８８】
また、遊技盤４０に設けられるゲートスイッチ６２を除く各スイッチ５１，５２，５５ａ，５５ｂ，６０，５６ａ，５６ｂからの入力信号に基づいて主基板１２０は、払出制御基板９８に賞球個数信号を出力する。払出制御基板９８は、その賞球個数信号の入力に基づいて、払出中継基板１１３を介して、払出モータ１１５を駆動して所定個数の賞球を払い出す。また、払出個数カウントスイッチ１１６からの入力信号に基づいて主基板１２０は、未払出数があるか否かを判定する。また、払出個数カウントスイッチ１１６からの入力信号に基づいて主基板１２０は、枠用外部端子板１０２に賞球個数情報（１０個で１パルス）を出力し、この信号を枠用外部端子板１０２から外部の管理コンピュータの出力する。また、払出制御基板９８は、その賞球個数信号の入力に基づいて、プラ枠中継基板１０８および賞球ＬＥＤ基板１９８を介して、賞球ＬＥＤ１０を表示駆動してその旨を報知する。
【０１８９】
更に、球切れスイッチ１５７からの球切れスイッチ信号に基づいて払出制御基板９８は、払出停止信号を玉払出装置１５４に出力し、払出モータ１１５の駆動を停止させる。払出制御基板９８は、プラ枠中継基板１０８および球切れＬＥＤ基板１９７を介して、球切れＬＥＤ９を所定の態様で表示駆動する。
【０１９０】
なお、満タンスイッチ１５８又は球切れスイッチ１５７のいずれかがＯＮすることで賞球停止信号（払出停止コマンド）を主基板１２０から払出制御基板９８に出力して賞球しないようにし、いずれのスイッチ１５８，１５７ともＯＦＦであれば賞球可能信号（払出停止解除コマンド）を出力するというものでもよい。また、賞球ＬＥＤ１０に換えて未払出がある場合、点灯する未払出報知ランプなどを設けてもよい。
【０１９１】
主基板１２０には、遊技動作を制御するためのスイッチ入力、賞球の払出動作を制御するためのスイッチ入力しか入力されず、主基板１２０と払出制御基板９８を除く他の制御基板との関係においては、主基板１２０から他の制御基板に向かって一方向の通信関係となる。このため、他の制御基板に不法な処理プログラムを組み込んで主基板１２０で不正な処理を施そうとしても実行することができないという利点があり、また、主基板１２０の制御の一部を他の制御基板で担当しているので、主基板１２０の負担が軽減されると共に、主基板１２０の検査の容易化を図ることも可能である。
【０１９２】
また、払出制御基板９８には、払出センサ基板１１４のモータ位置センサおよび払出個数カウントスイッチ１１６からの信号が払出中継基板１１３を介して入力され、残高表示基板１０４の球貸スイッチおよび返却スイッチからの信号およびカードユニット装置から各種の情報が遊技球等貸出装置接続端子板１０３を介して入力されている。更に、前述したように、主基板１２０から賞球個数信号、満タン信号、球切れ信号が入力されるものである。上記した入力信号のうち、モータ位置センサからの入力信号に基づいて払出制御基板９８は、貸球および賞球の払出動作において払出モータ１１５の停止位置、即ち玉払出装置１５４の玉払出部材の停止位置を正確に制御すると共に玉払出部材が動作しているか否かを検出できる。また、払出個数カウントスイッチ１１６からの入力信号に基づいて払出制御基板９８は、貸球および賞球の正確な払出数を払い出すように払出モータ１１５を駆動制御すると共に、枠用外部端子板１０２に貸球数情報（１００円分の球２５個で１パルス）を出力する。なお、賞球数情報を主基板１２０から出力するようにしてもよい。
【０１９３】
また、払出制御基板９８は、球貸スイッチからの入力信号に基づいてカードユニット装置から貸球要求信号が出力されると払出モータ１１５を駆動し、また、返却スイッチからの入力信号は、遊技球等貸出装置接続端子板１０３を経由してカードユニット装置に伝達される。また、カードユニット装置からの各種の情報信号も遊技球等貸出装置接続端子板１０３を経由して残高表示基板１０４の度数表示ＬＥＤ（図示しない）に伝達される。更に、主基板１２０からの球切れ信号、賞球個数信号、満タン信号等に基づいて払出制御基板９８は、前述したように払出中継基板１１３を介して賞球の払出動作を実行せしめたり、発射制御基板１０７に発射モータ６０１の停止信号を出力したりする。なお、枠用外部端子板１０２にサンパック中継基板１０１を介して接続される球切れスイッチ１５７および満タンスイッチ１５８からの入力信号は、球切れ情報または満タン情報として外部の管理コンピュータ等に出力される。
【０１９４】
電源基板９７は、一次電源として電源コード１１７を介して、ＡＣ２４Ｖの交流電源を受ける。そして、電源基板９７は、主基板１２０と、払出制御基板９８と、二次電源としての電力が供給される。主基板１２０は、電源基板９７から供給された電力に基づき、各種制御処理を行なうとともに、各種遊技効果ＬＥＤ，遊技効果ランプ，および、装飾ランプを点灯させるとともに、周辺電源中継基板４７を介して、音声枠ランプ基板９２に供給する。音声枠ランプ基板９２は、主基板１２０から供給された電力に基づき、各種遊技効果ＬＥＤ，遊技効果ランプ，および、装飾ランプを点灯させるとともに、演出制御基板９０に液晶表示装置４４ｂに画像を表示するための電力を供給する。払出制御基板９８は、電源基板９７から供給された電力に基づき、払出モータ１１５および発射モータ６０１を駆動させる処理を含む各種制御処理を行なう。
【０１９５】
次に、前述した実施の形態により得られる主な効果を説明する。
【０１９６】
（１）  前述した実施形態においては、玉払出装置１５４に流入した玉は、補強ヒンジ部材１７６、賞球タンク１４７、玉整列レール部材１４８、および、玉通路カバー部材１５６を介して接地されている玉ストッパー部材１５９のストッパー部材１５９ｂと接触している仕切板７２に接する。これにより、玉払出装置１５４に帯電した玉が流入したときであっても、仕切板７２に接することにより、玉の電位が接地レベルとなるので、払出モータ１１５に静電気ノイズが流入することを防止でき、払出モータ１１５が誤動作することや壊れてしまうことを未然に防止することができる。
【０１９７】
（２）  前述した実施形態においては、仕切板７２を、玉払出装置１５４の供給通路を２条に形成するために仕切る部材と、玉払出装置１５４に流入した玉が接地可能となるように接続する部材とに兼用することができる。このため、部品個数を変化させること無く、構造を簡略化でき、また省スペース化を図ることができる。
【０１９８】
（３）  前述した実施形態においては、絶縁カバー８３を供給通路と払出モータ１１５との間に設けたため、気温や湿度等の影響を受けて仮に帯電した玉の電荷移動が追いつかないため、玉払出装置１５４に流入したすべての玉の電位を接地レベルとすることができずに、静電気ノイズが発生したときであっても、絶縁カバー８３により当該静電気ノイズから払出モータ１１５が遮られているため、払出モータ１１５に静電気ノイズが流入することがなく、安全性をより高めることができる。
【０１９９】
（４）  前述した実施形態においては、玉ストッパー部材１５９が、カーボンを含有した樹脂から形成された賞球タンク１４７、玉整列レール部材１４８、および、玉通路カバー部材１５６を介して接地されている。このため、玉ストッパー部材１５９が金属部材を介して接地されている場合と比較して、帯電した玉が仕切板７２に接近しただけで急激に放電することを極力防止することができる。よって、安全性をより高めることができる。
【０２００】
（５）  前述した実施形態においては、補強ヒンジ部材１７６を、機構板１４０を前面枠３に対して開閉自在となるように取り付ける部材と、賞球タンク１４７、玉整列レール部材１４８、玉通路カバー部材１５６、玉ストッパー部材１５９、仕切板７２、打球発射装置１３０，施錠装置１２８，プラ枠補強金具３７１ａ，プラ枠ヒンジ金具３１４、導電性板４０ａ，誘導レール４２ａ，４２ｂ，障害釘３７、前面扉枠４の上部ヒンジ金具、前面扉枠４用の補強金具、下部ヒンジ金具、上皿開閉枠１１用の補強金具、発射レール３４５、および、上皿金具等の複数の部材を接地可能となるように接続する部材とに兼用することができる。このため、複数の部材を接地できるように弾球遊技機１を構成したときであっても、実装する部品個数を極力削減することができる。また、帯電した玉を接地できる範囲を広げることができるため、静電気ノイズの影響を受けて、弾球遊技機１に搭載された各種機器（たとえば、制御基板等）が誤動作または壊れる危険性を極力低減することができる。
【０２０１】
次に、以上に説明した実施の形態の変形例や特徴点を以下に列挙する。
【０２０２】
（１）  前述した実施の形態においては、玉払出装置１５４の供給通路が仕切板７２により、２条に形成されている例について説明したが、これに限らず、１条であってもよい。この場合は、玉払出装置に流入した玉が接する部分を導電性部材で形成するようにしてもよい。また、３条以上に形成するものであってもよい。
【０２０３】
（２）  前述した実施の形態においては、補強ヒンジ部材１７６から接地線を介して接地する例について説明したが、これに限らず、前面扉枠４を前面枠３に対して施錠する施錠装置１２８から接地線を介して接地しるように構成してもよい。すなわち、施錠装置１２８を介して、賞球タンク１４７、玉整列レール部材１４８、玉通路カバー部材１５６、玉ストッパー部材１５９、仕切板７２、打球発射装置１３０，補強ヒンジ部材１７６，プラ枠補強金具３７１ａ，プラ枠ヒンジ金具３１４、導電性板４０ａ，誘導レール４２ａ，４２ｂ，障害釘３７、前面扉枠４の上部ヒンジ金具、前面扉枠４用の補強金具、下部ヒンジ金具、上皿開閉枠１１用の補強金具、発射レール３４５、および、上皿金具等の複数の部材を接地可能となるように接続するようにしてもよい。これにより、複数の部材を接地できるように弾球遊技機１を構成したときであっても、実装する部品個数を極力削減することができる。また、帯電した玉を接地できる範囲を広げることができるため、静電気ノイズの影響を受けて、弾球遊技機１に搭載された各種機器（たとえば、各種制御基板等）が誤動作または壊れる危険性を極力低減することができる。
【０２０４】
（３）  前述した実施の形態においては、遊技盤４０に設けられる導電部分として導電性合成樹脂による導電性板４０ａが用いられたが、導電性板４０ａは金属製であってもよい。また、前述した実施の形態おける遊技盤４０においては、内部に導電部分が設けられた構造であるが、これに限らず、導電部分が、遊技盤４０の表面に積層されていてもよい。さらに、導電部分は必ずしも板状の部材で形成されている必要はない。例えば、導電性インクや導電性塗料が印刷されたり塗布されたりして形成されるようにしてもよい。
【０２０５】
（４）  前述した実施の形態における導電性合成樹脂部材は、カーボンを含有した合成樹脂部材でもよいが、金属を含有した合成樹脂やステンレス繊維を含有する合成樹脂など導電性を有していればどのようなものであってもよい。さらに、導電性合成樹脂部材が配置される所定の部位として、玉と接触可能な位置を例示したが、そのような部位に限らず、他の箇所に導電性合成樹脂部材を配置してもよい。
【０２０６】
（５）  前述した実施の形態においては、特別図柄表示装置４４ａをＬＣＤ表示器で構成しているが、特にこれに限定するものではなく、ＣＲＴ、ＬＥＤ、ＶＦＤ、ＥＬ、あるいはプラズマによる表示器や、ドラム式又はリール式で構成することも可能である。また、特別図柄を変動表示する特別図柄表示装置４４ａと、飾り図柄を変動表示する液晶表示装置４４ｂとを備えた遊技機について説明したが、これに限らず、特別図柄表示装置４４ａのみを備えた遊技機であってもよい。
【０２０７】
（６）  前述した実施の形態においては、弾球遊技機の構成として、始動玉検出器の入賞球の検出に伴って変動表示装置での識別情報の変動を開始し、該識別情報が所定の表示結果となると特定遊技状態が発生して可変入賞球装置を開放する弾球遊技機（これを俗に第１種という）を例示しているが、特にこれに限定するものではなく、始動玉検出器の入賞球の検出に伴って可変入賞球装置を開放し、該可変入賞球装置内の特定領域への打玉の入賞により特定遊技状態を発生する弾球遊技機（これを俗に第２種という）や、始動玉検出器の入賞球の検出に伴って変動表示装置での識別情報の変動を開始し、該識別情報が所定の表示結果となると権利発生状態となり、この状態で特定領域に打玉が入賞すると特定遊技状態が発生する弾球遊技機（これを俗に第３種という）であってもよい。
【０２０８】
（７）  なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【０２０９】
【図１】弾球遊技機の正面図である。
【図２】弾球遊技機の背面図である。
【図３】遊技盤の拡大正面図である。
【図４】遊技盤の拡大背面図である。
【図５】機構板の分解斜視図である。
【図６】玉払出装置の斜視図である。
【図７】玉払出装置の分解斜視図である。
【図８】図２におけるＢ−Ｂでの概略断面図である。
【図９】機構板に取り付けられている補強ヒンジ部材、賞球タンク、玉整列レール部材、玉通路カバー部材、玉ストッパー部材、および、仕切板の結線図である。
【図１０】前面枠の正面からの分解斜視図である。
【図１１】前面枠の背面からの分解斜視図である。
【図１２】打球発射装置の斜視図である。
【図１３】図１におけるＡ−Ａでの概略断面図である。
【図１４】機構板に取り付けられている補強ヒンジ部材、前面枠に取り付けられている打球発射装置，施錠装置，プラ枠補強金具，プラ枠ヒンジ金具、遊技盤に取り付けられている導電性板，誘導レール，障害釘等の結線図である。
【図１５】主基板と各種制御基板および電気部品との関係を示すブロック図である。
【符号の説明】
【０２１０】
３  前面枠、４  前面扉枠、４０  遊技盤、４２ａ，４２ｂ  誘導レール、７２  仕切板、８３  絶縁カバー、１１５  払出モータ、１２８  施錠装置、１３０  打球発射装置、１４０  機構板、１４７  賞球タンク、１４８  玉整列レール部材、１５４  玉払出装置、１５６  玉通路カバー部材、１５９  玉ストッパー部材、１７６  補強ヒンジ部材、３１４  プラ枠ヒンジ金具、３１４ａ  補強金具接続部材、３２７ａ，３２７ｂ  レール接続部材、３７１ａ  プラ枠補強金具、３７３  発射装置接触部材。
【図１】
2006042886.tif 000003
【図２】
2006042886.tif 000004
【図３】
2006042886.tif 000005
【図４】
2006042886.tif 000006
【図５】
2006042886.tif 000007
【図６】
2006042886.tif 000008
【図７】
2006042886.tif 000009
【図８】
2006042886.tif 000010
【図９】
2006042886.tif 000011
【図１０】
2006042886.tif 000012
【図１１】
2006042886.tif 000013
【図１２】
2006042886.tif 000014
【図１３】
2006042886.tif 000015
【図１４】
2006042886.tif 000016
【図１５】
2006042886.tif 000017